(57)【要約】【課題】利便性または信頼性に優れた新規な表示パネルを提供する。【解決手段】第１の制御線、第２の制御線、第１のスイッチ、第２のスイッチ、第１の駆動回路、第２の駆動回路、第１の信号線および第１の画素を有する表示パネルであって、第１の制御線は第１の制御信号を供給し、第２の制御線は第２の制御信号を供給し、第１のスイッチは、第１の制御信号に基づいて、第１の駆動回路を第１の信号線と電気的に接続し、第２のスイッチは、第２の制御信号に基づいて、第２の駆動回路を第１の信号線と電気的に接続し、第１の駆動回路は、画像信号を供給する機能を備え、第２の駆動回路は、第１の駆動回路が供給する画像信号の極性とは異なる極性の画像信号を供給する機能を備え、第１の画素は画素回路および表示素子を含み、画素回路は第１の信号線および表示素子と電気的に接続され、表示素子は液晶材料を含む。【選択図】図１
2018163180.tif 000002
【特許請求の範囲】
【請求項１】
第１の制御線と、
第２の制御線と、
第１のスイッチと、
第２のスイッチと、
第１の駆動回路と、
第２の駆動回路と、
第１の信号線と、
第１の画素と、を有し、
前記第１の制御線は、第１の制御信号を供給する機能を備え、
前記第２の制御線は、第２の制御信号を供給する機能を備え、
前記第１のスイッチは、第１の制御信号に基づいて、前記第１の駆動回路を前記第１の信号線と電気的に接続し、
前記第２のスイッチは、第２の制御信号に基づいて、前記第２の駆動回路を前記第１の信号線と電気的に接続し、
前記第１の駆動回路は、画像信号を供給する機能を備え、
前記第２の駆動回路は、前記第１の駆動回路が供給する画像信号の極性とは異なる極性の画像信号を供給する機能を備え、
前記第１の画素は、画素回路および表示素子を含み、
前記画素回路は、前記第１の信号線と電気的に接続され、
前記画素回路は、前記表示素子と電気的に接続され、
前記表示素子は、液晶材料を含む、表示パネル。
【請求項２】
前記画素回路は、トランジスタを含み、
前記トランジスタは、半導体膜を含み、
前記第１のスイッチは、前記半導体膜と同一の工程で形成することができる半導体膜を含む第１のトランジスタを備え、
前記第２のスイッチは、前記半導体膜と同一の工程で形成することができる半導体膜を含む第２のトランジスタを備える、請求項１に記載の表示パネル。
【請求項３】
制御回路を有し、
前記制御回路は、前記第１の制御線と電気的に接続され、
前記制御回路は、前記第２の制御線と電気的に接続され、
前記制御回路は、前記第１の制御信号および前記第２の制御信号を生成する機能を備え、
前記制御回路は、前記第１の駆動回路を前記第１の信号線と電気的に接続する前記第１の制御信号を供給していない期間に、前記第２の駆動回路を前記第１の信号線と電気的に接続する前記第２の制御信号を供給する、請求項１または請求項２に記載の表示パネル。
【請求項４】
前記制御回路は、前記第１の制御信号を１２０Ｈｚ以上の頻度で供給し、
前記制御回路は、前記第２の制御信号を１２０Ｈｚ以上の頻度で供給し、
前記第１の駆動回路は、画像信号を２４０Ｈｚ以上のフレームレートで供給し、
前記第２の駆動回路は、画像信号を２４０Ｈｚ以上のフレームレートで供給する、請求項３に記載の表示パネル。
【請求項５】
第３のスイッチと、
第４のスイッチと、
第２の信号線と、
第２の画素と、
走査線と、を有し、
前記第３のスイッチは、第２の制御信号に基づいて、前記第１の駆動回路を前記第２の信号線と電気的に接続し、
前記第４のスイッチは、第１の制御信号に基づいて、前記第２の駆動回路を前記第２の信号線と電気的に接続し、
前記走査線は、前記第１の画素と電気的に接続され、
前記走査線は、前記第２の画素と電気的に接続される、請求項１乃至請求項４のいずれか一に記載の表示パネル。
【請求項６】
表示領域を有し、
前記表示領域は、一群の複数の画素、他の一群の複数の画素を備え、
前記一群の複数の画素は、前記第１の画素および前記第２の画素を含み、
前記一群の複数の画素は、行方向に配設され、
前記他の一群の複数の画素は、前記行方向と交差する列方向に配設され、
前記走査線は、前記一群の複数の画素と電気的に接続され、
前記信号線は、前記他の一群の複数の画素と電気的に接続される、請求項１乃至請求項５のいずれか一に記載の表示パネル。
【請求項７】
前記表示領域は、７６００個以上の画素を前記行方向に備え、
前記表示領域は、４３００個以上の画素を前記列方向に備える、請求項６に記載の表示パネル。
【請求項８】
前記表示領域は、第３の画素を備え、
前記第１の画素は、ＣＩＥ１９３１色度座標における色度ｘが０．６８０より大きく０．７２０以下、色度ｙが０．２６０以上０．３２０以下の色を表示し、
前記第２の画素は、ＣＩＥ１９３１色度座標における色度ｘが０．１３０以上０．２５０以下、色度ｙが０．７１０より大きく０．８１０以下の色を表示し、
前記第３の画素は、ＣＩＥ１９３１色度座標における色度ｘが０．１２０以上０．１７０以下、色度ｙが０．０２０以上０．０６０未満の色を表示する、請求項５乃至請求項７のいずれか一に記載の表示パネル。
【請求項９】
請求項１乃至請求項８のいずれか一に記載の表示パネルと、
制御部と、を有し、
前記制御部は、画像情報および制御情報を供給され、
前記制御部は、前記画像情報に基づいて情報を生成し、
前記制御部は、前記情報を供給し、
前記表示パネルは、前記情報を供給され、
前記表示素子は、前記情報に基づいて表示する、表示装置。
【請求項１０】
入力部と、表示部と、を有し、
前記表示部は、請求項１乃至請求項８のいずれか一に記載の表示パネルを備え、
前記入力部は、検知領域を備え、
前記入力部は、前記検知領域に近接するものを検知し、
前記検知領域は、前記画素と重なる領域を備える入出力装置。
【請求項１１】
キーボード、ハードウェアボタン、ポインティングデバイス、タッチセンサ、照度センサ、撮像装置、音声入力装置、視線入力装置、姿勢検出装置、のうち一以上と、請求項１乃至請求項８のいずれか一に記載の表示パネルと、を含む、情報処理装置。
【発明の詳細な説明】
【技術分野】
【０００１】
本発明の一態様は、表示パネル、表示装置、入出力装置または情報処理装置に関する。
【０００２】
なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、発光装置、蓄電装置、記憶装置、それらの駆動方法、または、それらの製造方法、を一例として挙げることができる。
【背景技術】
【０００３】
表示装置は、多階調化、及び高精細化等の高性能化の傾向にある。この高性能化に対応するため、表示装置の駆動回路、特にソースドライバには、ＩＣ（Ｉｎｔｅｇｒａｔｅｄ  Ｃｉｒｃｕｉｔ；以下ドライバＩＣともいう）が採用されている。
【０００４】
ドライバＩＣは、画素に与えるアナログ信号を生成するための階調電圧生成回路を有する。この階調電圧生成回路は、デジタル信号を基に、アナログ信号を生成する、所謂Ｄ／Ａ変換回路である。
【０００５】
Ｄ／Ａ変換回路は、高速での応答速度が求められる点を考慮して、直列に設けた抵抗を使用する、所謂Ｒ−ＤＡＣ（Ｒｅｓｉｓｔｏｒ  ｄｉｇｉｔａｌ−ｔｏ−ａｎａｌｏｇ  ｃｏｎｖｅｒｔｅｒ）が採用されている。Ｒ−ＤＡＣは、デジタル信号のビット数の増加に伴ってスイッチの数が指数関数的に増加するため、ドライバＩＣの回路面積が増加する。
【０００６】
そのため、特許文献１乃至３では、上位ビットと下位ビットとで別々にデジタル信号を変換して、それぞれのアナログ信号を合成することで、所望のアナログ信号を得る構成が提案されている。
【先行技術文献】
【特許文献】
【０００７】
【特許文献１】米国特許出願公開第２００５／０１４０６３０号明細書
【特許文献２】米国特許出願公開第２０１０／０１５６８６７号明細書
【特許文献３】米国特許出願公開第２０１０／０１４１４９３号明細書
【発明の概要】
【発明が解決しようとする課題】
【０００８】
本発明の一態様は、利便性または信頼性に優れた新規な表示パネルを提供することを課題の一とする。または、利便性または信頼性に優れた新規な表示装置を提供することを課題の一とする。または、利便性または信頼性に優れた新規な入出力装置を提供することを課題の一とする。または、利便性または信頼性に優れた新規な情報処理装置を提供することを課題の一とする。または、新規な表示パネル、新規な表示装置、新規な入出力装置、新規な情報処理装置または新規な半導体装置を提供することを課題の一とする。
【０００９】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【００１０】
（１）本発明の一態様は、第１の制御線と、第２の制御線と、第１のスイッチと、第２のスイッチと、第１の駆動回路と、第２の駆動回路と、第１の信号線と、第１の画素と、を有する表示パネルである。
【００１１】
第１の制御線は第１の制御信号を供給する機能を備え、第２の制御線は第２の制御信号を供給する機能を備える。
【００１２】
第１のスイッチは、第１の制御信号に基づいて、第１の駆動回路を第１の信号線と電気的に接続する。
【００１３】
第２のスイッチは、第２の制御信号に基づいて、第２の駆動回路を第１の信号線と電気的に接続する。
【００１４】
第１の駆動回路は画像信号を供給する機能を備え、第２の駆動回路は第１の駆動回路が供給する画像信号の極性とは異なる極性の画像信号を供給する機能を備える。
【００１５】
第１の画素は画素回路および表示素子を含む。画素回路は第１の信号線と電気的に接続され、画素回路は表示素子と電気的に接続される。
【００１６】
表示素子は液晶材料を含む。
【００１７】
これにより、制御信号に基づいて、第１の駆動回路または第２の駆動回路を、第１の信号線と電気的に接続することができる。または、制御信号に基づいて、第１の信号線と電気的に接続する駆動回路を切り替えることができる。または、制御信号に基づいて、第１の信号線に供給する画像信号の極性を切り替えることができる。または、制御信号に基づいて、表示素子に供給する画像信号の極性を切り替えることができる。または、例えば、正の電位を好適に供給するように構成された駆動回路と、負の電位を好適に供給するように構成された駆動回路とを、切り替えて用いることができる。または、駆動回路の信頼性を高めることができる。その結果、利便性または信頼性に優れた新規な表示パネルを提供することができる。
【００１８】
（２）また、本発明の一態様は、画素回路がトランジスタを含み、当該トランジスタは半導体膜を含む上記の表示パネルである。
【００１９】
第１のスイッチは、当該半導体膜と同一の工程で形成することができる半導体膜を含む第１のトランジスタを備える。また、第２のスイッチは、当該半導体膜と同一の工程で形成することができる半導体膜を含む第２のトランジスタを備える。
【００２０】
これにより、第１のスイッチおよび第２のスイッチを、画素回路を形成する工程において形成することができる。または、第１のスイッチおよび第２のスイッチを、簡便な工程で形成することができる。その結果、利便性または信頼性に優れた新規な表示パネルを提供することができる。
【００２１】
（３）また、本発明の一態様は、制御回路を有する上記の表示パネルである。
【００２２】
制御回路は第１の制御線と電気的に接続され、第２の制御線と電気的に接続され、第１の制御信号および第２の制御信号を生成する機能を備える。
【００２３】
また、制御回路は、第１の駆動回路を第１の信号線と電気的に接続する第１の制御信号を供給していない期間に、第２の駆動回路を第１の信号線と電気的に接続する第２の制御信号を供給する。
【００２４】
これにより、制御信号を生成することができる。または、第１の信号線と電気的に接続する駆動回路を選択することができる。または、第１の信号線に供給する画像信号の極性を制御することができる。その結果、利便性または信頼性に優れた新規な表示パネルを提供することができる。
【００２５】
（４）また、本発明の一態様は、制御回路が第１の制御信号を１２０Ｈｚ以上の頻度で供給し、第２の制御信号を１２０Ｈｚ以上の頻度で供給する上記の表示パネルである。
【００２６】
第１の駆動回路は画像信号を２４０Ｈｚ以上のフレームレートで供給し、第２の駆動回路は画像信号を２４０Ｈｚ以上のフレームレートで供給する。
【００２７】
これにより、２４０Ｈｚ以上のフレームレートで画像信号を供給することができる。または、滑らかに動画を表示することができる。その結果、利便性または信頼性に優れた新規な表示パネルを提供することができる。
【００２８】
（５）また、本発明の一態様は、第３のスイッチと、第４のスイッチと、第２の信号線と、第２の画素と、走査線と、を有する表示パネルである。
【００２９】
第３のスイッチは、第２の制御信号に基づいて、第１の駆動回路を第２の信号線と電気的に接続する。
【００３０】
第４のスイッチは、第１の制御信号に基づいて、第２の駆動回路を第２の信号線と電気的に接続する。
【００３１】
走査線は第１の画素および第２の画素と電気的に接続される。
【００３２】
これにより、液晶素子に印加する電圧の極性を、信号線毎に異ならせることができる。または、いわゆるライン反転駆動をすることができる。または、液晶素子の信頼性を高めることができる。または、フリッカーを抑制することができる。その結果、利便性または信頼性に優れた新規な表示パネルを提供することができる。
【００３３】
（６）また、本発明の一態様は、表示領域を有する上記の表示パネルである。
【００３４】
表示領域は、一群の複数の画素、他の一群の複数の画素を備える。
【００３５】
一群の複数の画素は第１の画素および第２の画素を含み、行方向に配設される。
【００３６】
他の一群の複数の画素は行方向と交差する列方向に配設される。
【００３７】
走査線は一群の複数の画素と電気的に接続され、信号線は他の一群の複数の画素と電気的に接続される。
【００３８】
（７）また、本発明の一態様は、表示領域が７６００個以上の画素を行方向に備え、４３００個以上の画素を列方向に備える上記の表示パネルである。
【００３９】
これにより、例えば、ハイビジョン画像または４Ｋ画像より数が多い画素に、画像信号を供給することができる。画素に画像信号を高速に供給することができる。または、高精細な画像を表示することができる。または、６０Ｈｚ以上、好ましくは１２０Ｈｚ以上のリフレッシュレートで表示をすることができる。その結果、利便性または信頼性に優れた新規な表示パネルを提供することができる。
【００４０】
（８）また、本発明の一態様は、表示領域が第３の画素を備える上記の表示パネルである。
【００４１】
第１の画素は、ＣＩＥ１９３１色度座標における色度ｘが０．６８０より大きく０．７２０以下、色度ｙが０．２６０以上０．３２０以下の色を表示する。
【００４２】
第２の画素は、ＣＩＥ１９３１色度座標における色度ｘが０．１３０以上０．２５０以下、色度ｙが０．７１０より大きく０．８１０以下の色を表示する。
【００４３】
第３の画素は、ＣＩＥ１９３１色度座標における色度ｘが０．１２０以上０．１７０以下、色度ｙが０．０２０以上０．０６０未満の色を表示する。
【００４４】
（９）また、本発明の一態様は、上記の表示パネルと、制御部と、を有する表示装置である。
【００４５】
制御部は画像情報および制御情報を供給され、制御部は画像情報に基づいて情報を生成し、制御部は情報を供給する。
【００４６】
表示パネルは情報を供給され、表示素子は情報に基づいて表示する。
【００４７】
これにより、表示素子を用いて画像情報を表示することができる。その結果、利便性または信頼性に優れた新規な表示装置を提供することができる。
【００４８】
（１０）また、本発明の一態様は、入力部と、表示部と、を有する入出力装置である。
【００４９】
表示部は上記の表示パネルを備える。入力部は検知領域を備え、検知領域に近接するものを検知する。また、検知領域は画素と重なる領域を備える。
【００５０】
これにより、表示部を用いて画像情報を表示しながら、表示部と重なる領域に近接するものを検知することができる。または、表示部に近接させる指などをポインタに用いて、位置情報を入力することができる。または、位置情報を表示部に表示する画像情報に関連付けることができる。その結果、利便性または信頼性に優れた新規な入出力装置を提供することができる。
（１１）また、本発明の一態様は、キーボード、ハードウェアボタン、ポインティングデバイス、タッチセンサ、照度センサ、撮像装置、音声入力装置、視線入力装置、姿勢検出装置、のうち一以上と、上記の表示パネルと、を含む、情報処理装置である。
【００５１】
これにより、さまざまな入力装置を用いて供給する情報に基づいて、画像情報または制御情報を演算装置に生成させることができる。その結果、利便性または信頼性に優れた新規な情報処理装置を提供することができる。
【００５２】
本明細書に添付した図面では、構成要素を機能ごとに分類し、互いに独立したブロックとしてブロック図を示しているが、実際の構成要素は機能ごとに完全に切り分けることが難しく、一つの構成要素が複数の機能に係わることもあり得る。
【００５３】
本明細書においてトランジスタが有するソースとドレインは、トランジスタの極性及び各端子に与えられる電位の高低によって、その呼び方が入れ替わる。一般的に、ｎチャネル型トランジスタでは、低い電位が与えられる端子がソースと呼ばれ、高い電位が与えられる端子がドレインと呼ばれる。また、ｐチャネル型トランジスタでは、低い電位が与えられる端子がドレインと呼ばれ、高い電位が与えられる端子がソースと呼ばれる。本明細書では、便宜上、ソースとドレインとが固定されているものと仮定して、トランジスタの接続関係を説明する場合があるが、実際には上記電位の関係に従ってソースとドレインの呼び方が入れ替わる。
【００５４】
本明細書においてトランジスタのソースとは、活性層として機能する半導体膜の一部であるソース領域、或いは上記半導体膜に接続されたソース電極を意味する。同様に、トランジスタのドレインとは、上記半導体膜の一部であるドレイン領域、或いは上記半導体膜に接続されたドレイン電極を意味する。また、ゲートはゲート電極を意味する。
【００５５】
本明細書においてトランジスタが直列に接続されている状態とは、例えば、第１のトランジスタのソースまたはドレインの一方のみが、第２のトランジスタのソースまたはドレインの一方のみに接続されている状態を意味する。また、トランジスタが並列に接続されている状態とは、第１のトランジスタのソースまたはドレインの一方が第２のトランジスタのソースまたはドレインの一方に接続され、第１のトランジスタのソースまたはドレインの他方が第２のトランジスタのソースまたはドレインの他方に接続されている状態を意味する。
【００５６】
本明細書において接続とは、電気的な接続を意味しており、電流、電圧または電位が、供給可能、或いは伝送可能な状態に相当する。従って、接続している状態とは、直接接続している状態を必ずしも指すわけではなく、電流、電圧または電位が、供給可能、或いは伝送可能であるように、配線、抵抗、ダイオード、トランジスタなどの回路素子を介して間接的に接続している状態も、その範疇に含む。
【００５７】
本明細書において回路図上は独立している構成要素どうしが接続されている場合であっても、実際には、例えば配線の一部が電極として機能する場合など、一の導電膜が、複数の構成要素の機能を併せ持っている場合もある。本明細書において接続とは、このような、一の導電膜が、複数の構成要素の機能を併せ持っている場合も、その範疇に含める。
【００５８】
また、本明細書中において、トランジスタの第１の電極または第２の電極の一方がソース電極を、他方がドレイン電極を指す。
【発明の効果】
【００５９】
本発明の一態様によれば、利便性または信頼性に優れた新規な表示パネルを提供することができる。または、利便性または信頼性に優れた新規な表示装置を提供することができる。または、利便性または信頼性に優れた新規な入出力装置を提供することができる。または、利便性または信頼性に優れた新規な情報処理装置を提供することができる。または、新規な表示パネル、新規な表示装置、新規な入出力装置、新規な情報処理装置または新規な半導体装置を提供することができる。
【００６０】
なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００６１】
【図１】実施の形態に係る表示パネルの構成を説明するブロック図。
【図２】実施の形態に係る表示パネルの構成を説明する上面図。
【図３】実施の形態に係る表示パネルの構成を説明する断面図および回路図。
【図４】実施の形態に係る表示パネルの構成を説明する断面図。
【図５】実施の形態に係る制御信号および画像信号を説明する図。
【図６】実施の形態に係る表示パネルの構成を説明するブロック図。
【図７】実施の形態に係る表示パネルの構成を説明するブロック図。
【図８】実施の形態に係る表示装置を説明する図。
【図９】実施の形態に係る入出力装置の構成を説明するブロック図。
【図１０】実施の形態に係る情報処理装置の構成を説明するブロック図および投影図。
【図１１】実施の形態に係る情報処理装置の駆動方法を説明するフロー図。
【図１２】実施の形態に係る情報処理装置の駆動方法を説明するフロー図およびタイミングチャート。
【図１３】実施の形態に係る情報処理装置の構成を説明する図。
【図１４】実施の形態に係る情報処理装置の構成を説明する図。
【発明を実施するための形態】
【００６２】
本発明の一態様の表示パネルは、第１の制御線と、第２の制御線と、第１のスイッチと、第２のスイッチと、第１の駆動回路と、第２の駆動回路と、第１の信号線と、第１の画素と、を有する。第１の制御線は第１の制御信号を供給する機能を備え、第２の制御線は第２の制御信号を供給する機能を備え、第１のスイッチは、第１の制御信号に基づいて、第１の駆動回路を前記第１の信号線と電気的に接続し、第２のスイッチは、第２の制御信号に基づいて、第２の駆動回路を第１の信号線と電気的に接続し、第１の駆動回路は、画像信号を供給する機能を備え、第２の駆動回路は、第１の駆動回路が供給する画像信号の極性とは異なる極性の画像信号を供給する機能を備え、第１の画素は、画素回路および表示素子を含み、画素回路は、前記第１の信号線と電気的に接続され、画素回路は、前記表示素子と電気的に接続され、表示素子は、液晶材料を含む。
【００６３】
これにより、制御信号に基づいて、第１の駆動回路または第２の駆動回路を、第１の信号線と電気的に接続することができる。または、制御信号に基づいて、第１の信号線と電気的に接続する駆動回路を切り替えることができる。または、制御信号に基づいて、第１の信号線に供給する画像信号の極性を切り替えることができる。または、制御信号に基づいて、表示素子に供給する画像信号の極性を切り替えることができる。または、例えば、正の電位を好適に供給するように構成された駆動回路と、負の電位を好適に供給するように構成された駆動回路とを、切り替えて用いることができる。または、駆動回路の信頼性を高めることができる。その結果、利便性または信頼性に優れた新規な表示パネルを提供することができる。
【００６４】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００６５】
（実施の形態１）
本実施の形態では、本発明の一態様の表示パネルの構成について、図１乃至図４を参照しながら説明する。
【００６６】
図１は本発明の一態様の表示パネルの構成を説明するブロック図である。
【００６７】
図２（Ａ）は本発明の一態様の表示パネルの構成を説明する上面図であり、図２（Ｂ）は図２（Ａ）の一部を説明する上面図であり、図２（Ｃ）は他の一部を説明する上面図である。
【００６８】
図３（Ａ）は、図１（Ａ）の切断線Ｘ１−Ｘ２、切断線Ｘ３−Ｘ４、切断線Ｘ９−Ｘ１０における断面図であり、図３（Ｂ）は画素回路を説明する回路図である。
【００６９】
図４は本発明の一態様の表示パネルの構成を説明する断面図である。図４（Ａ）は画素の構成を説明する断面図であり、図４（Ｂ）は図１４（Ａ）の一部を説明する断面図であり、図４（Ｃ）は図１に示すスイッチにＳＷ１１（ｊ）等に用いることができるトランジスタＴＲの構成を説明する断面図である。
【００７０】
なお、本明細書において、１以上の整数を値にとる変数を符号に用いる場合がある。例えば、１以上の整数の値をとる変数ｐを含む（ｐ）を、最大ｐ個の構成要素のいずれかを特定する符号の一部に用いる場合がある。また、例えば、１以上の整数の値をとる変数ｍおよび変数ｎを含む（ｍ，ｎ）を、最大ｍ×ｎ個の構成要素のいずれかを特定する符号の一部に用いる場合がある。
【００７１】
＜表示パネルの構成例１．＞
本実施の形態で説明する表示パネル７００は、制御線ＧＬ１と、制御線ＧＬ２と、スイッチＳＷ１１（ｊ）と、スイッチＳＷ２２（ｊ）と、駆動回路ＳＤ（１）と、駆動回路ＳＤ（２）と、信号線Ｓ１（ｊ）と、画素７０２（ｉ，ｊ）と、を有する（図１参照）。
【００７２】
制御線ＧＬ１は、制御信号ＧＬＳ１を供給する機能を備え、制御線ＧＬ２は、制御信号ＧＬＳ２を供給する機能を備える。
【００７３】
《スイッチの構成例》
スイッチＳＷ１１（ｊ）は、制御信号ＧＬＳ１に基づいて、駆動回路ＳＤ（１）を信号線Ｓ１（ｊ）と電気的に接続する。
【００７４】
スイッチＳＷ２２（ｊ）は、制御信号ＧＬＳ２に基づいて、駆動回路ＳＤ（２）を信号線Ｓ１（ｊ）と電気的に接続する。
【００７５】
《駆動回路の例》
駆動回路ＳＤ（１）は、画像信号を供給する機能を備える。例えば、デジタルアナログ変換回路ＤＡＣ（１）は、情報Ｖ１１に基づいて、正の極性の画像信号を生成する（図５（Ｂ）参照）。
【００７６】
駆動回路ＳＤ（２）は、駆動回路ＳＤ（１）が供給する画像信号の極性とは異なる極性の画像信号を供給する機能を備える。例えば、デジタルアナログ変換回路ＤＡＣ（１）は、情報Ｖ１１に基づいて、負の極性の画像信号を生成する（図５（Ｂ）参照）。これにより、正の極性の画像信号を供給する機能および負の極性の画像信号を供給する機能の両方を備える駆動回路と比較して、画像信号の振幅を小さくすることができる。または、要求される耐圧性能の達成が容易になる。または、チャネルの長さが短いトランジスタを使用することができる。
【００７７】
《画素７０２（ｉ，ｊ）の構成》
画素７０２（ｉ，ｊ）は、画素回路５３０（ｉ，ｊ）および表示素子７５０（ｉ，ｊ）を含む（図３（Ａ）参照）。
【００７８】
《画素回路の構成》
画素回路５３０（ｉ，ｊ）は、信号線Ｓ１（ｊ）と電気的に接続され、画素回路５３０（ｉ，ｊ）は、表示素子７５０（ｉ，ｊ）と電気的に接続される（図３（Ｂ）参照）。
【００７９】
《表示素子の構成》
表示素子７５０（ｉ，ｊ）は、液晶材料を含む（図４（Ａ）参照）。
【００８０】
これにより、制御信号に基づいて、第１の駆動回路または第２の駆動回路を、第１の信号線と電気的に接続することができる。または、制御信号に基づいて、第１の信号線と電気的に接続する駆動回路を切り替えることができる。または、制御信号に基づいて、第１の信号線に供給する画像信号の極性を切り替えることができる。または、制御信号に基づいて、表示素子に供給する画像信号の極性を切り替えることができる。または、例えば、正の電位を好適に供給するように構成された駆動回路と、負の電位を好適に供給するように構成された駆動回路とを、切り替えて用いることができる。または、駆動回路の信頼性を高めることができる。その結果、利便性または信頼性に優れた新規な表示パネルを提供することができる。
【００８１】
《画素の回路の構成例２》
画素回路５３０（ｉ，ｊ）は、スイッチＳＷ１に用いることができるトランジスタを含む（図３（Ｂ）参照）。トランジスタは、半導体膜５０８を含む（図４（Ｂ）参照）。
【００８２】
《スイッチの構成例》
スイッチＳＷ１１（ｊ）は、半導体膜５０８と同一の工程で形成することができる半導体膜を含むトランジスタＴＲを備える（図４（Ｃ）参照）。
【００８３】
第２のスイッチＳＷ２２（ｊ）は、半導体膜と同一の工程で形成することができる半導体膜を含むトランジスタを備える。
【００８４】
これにより、第１のスイッチおよび第２のスイッチを、画素回路を形成する工程において形成することができる。または、第１のスイッチおよび第２のスイッチを、簡便な工程で形成することができる。その結果、利便性または信頼性に優れた新規な表示パネルを提供することができる。
【００８５】
＜表示パネルの構成例２．＞
本実施の形態で説明する表示パネル７００は、制御回路２３３を有する（図１参照）。例えば、タイミングコントローラーを制御回路２３３に用いることができる。
【００８６】
《制御回路２３３の構成例１．》
制御回路２３３は、制御線ＧＬ１および制御線ＧＬ２と電気的に接続される。
【００８７】
制御回路２３３は、制御信号ＧＬＳ１および制御信号ＧＬＳ２を生成する機能を備える。
【００８８】
制御回路２３３は、駆動回路ＳＤ（１）を信号線Ｓ１（ｊ）と電気的に接続する制御信号ＧＬＳ１を供給していない期間に、駆動回路ＳＤ（２）を信号線Ｓ１（ｊ）と電気的に接続する制御信号ＧＬＳ２を供給する（図５参照）。
【００８９】
例えば、制御信号ＧＬＳ１は、期間Ｔ１において、駆動回路ＳＤ（１）を信号線Ｓ１（ｊ）と電気的に接続し、期間Ｔ２において、駆動回路ＳＤ（１）を信号線Ｓ１（ｊ）と電気的に接続しない。なお、例えば、１フレーム期間を期間Ｔ１にすることができる。
【００９０】
また、制御信号ＧＬＳ２は、期間Ｔ１において、駆動回路ＳＤ（１）を信号線Ｓ１（ｊ）と電気的に接続しないが、期間Ｔ２において、駆動回路ＳＤ（１）を信号線Ｓ１（ｊ）と電気的に接続する。
【００９１】
これにより、制御信号を生成することができる。または、第１の信号線と電気的に接続する駆動回路を選択することができる。または、第１の信号線に供給する画像信号の極性を制御することができる。その結果、利便性または信頼性に優れた新規な表示パネルを提供することができる。
【００９２】
《制御回路の構成例２》
制御回路２３３は、制御信号ＧＬＳ１を１２０Ｈｚ以上の頻度で供給する。また、制御回路２３３は、制御信号ＧＬＳ２を１２０Ｈｚ以上の頻度で供給する。
【００９３】
例えば、３０Ｈｚ以上、好ましくは６０Ｈｚ以上、より好ましくは１２０Ｈｚ以上の頻度で駆動回路ＳＤ（１）を信号線Ｓ１（ｊ）と電気的に接続するように、制御信号ＧＬＳ１を供給する。
【００９４】
また、制御信号ＧＬＳ１と同期して、制御信号ＧＬＳ２を供給する。これにより、６０Ｈｚ以上、好ましくは１２０Ｈｚ以上、より好ましくは２４０Ｈｚ以上の頻度で、画像信号の極性を反転することができる。または、当該頻度で正の極性と負の極性を切り替えて、画像信号を信号線に供給することができる。または、フレームレートを６０Ｈｚ以上、好ましくは１２０Ｈｚ以上、より好ましくは２４０Ｈｚ以上にすることができる。
【００９５】
《駆動回路の構成例１》
駆動回路ＳＤ（１）は画像信号を２４０Ｈｚ以上のフレームレートで供給し、駆動回路ＳＤ（２）は画像信号を２４０Ｈｚ以上のフレームレートで供給する。
【００９６】
これにより、滑らかに動画を表示することができる。その結果、利便性または信頼性に優れた新規な表示パネルを提供することができる。
【００９７】
＜表示パネルの構成例３．＞
スイッチＳＷ２１（ｊ＋１）と、スイッチＳＷ１２（ｊ＋１）と、信号線Ｓ１（ｊ＋１）と、画素７０２（ｉ、ｊ＋１）と、走査線Ｇ１（ｉ）と、を有する（図１参照）。
【００９８】
《スイッチの構成例》
スイッチＳＷ２１（ｊ＋１）は、制御信号ＧＬＳ２に基づいて、駆動回路ＳＤ（１）を信号線Ｓ１（ｊ＋１）と電気的に接続する。
【００９９】
スイッチＳＷ１２（ｊ＋１）は、制御信号ＧＬＳ１に基づいて、駆動回路ＳＤ（２）を信号線Ｓ１（ｊ＋１）と電気的に接続する。
【０１００】
《走査線の構成例》
走査線Ｇ１（ｉ）は画素７０２（ｉ，ｊ）と電気的に接続され、走査線Ｇ１（ｉ）は画素７０２（ｉ，ｊ＋１）と電気的に接続される。
【０１０１】
これにより、液晶素子に印加する電圧の極性を、信号線毎に異ならせることができる。または、いわゆるライン反転駆動をすることができる。または、液晶素子の信頼性を高めることができる。または、フリッカーを抑制することができる。その結果、利便性または信頼性に優れた新規な表示パネルを提供することができる。
【０１０２】
＜表示パネルの構成例４．＞
【０１０３】
表示パネル７００は、駆動回路ＳＤ（１）、駆動回路ＧＤおよび端子５１９Ｂを備える（図２（Ａ）参照）。
【０１０４】
また、表示パネル７００は、基板５１０、基板７７０、機能層５２０および絶縁膜５０１Ｃを備える（図４（Ａ）参照）。また、表示パネル７００は、機能層７２０、機能膜７７０Ｐおよび機能膜７７０Ｄを備える。なお、表示パネル７００は、スイッチＳＷ１１（ｊ）を備える（図１参照）。スイッチＳＷ１１（ｊ）は、トランジスタＴＲを絶縁膜５０１Ｃ上に備える（図４（Ｃ）参照）。
【０１０５】
絶縁膜５０１Ｃは、基板５１０および基板７７０の間に挟まれる領域を備え、機能層５２０は、絶縁膜５０１Ｃおよび基板７７０の間に挟まれる領域を備える。
【０１０６】
《画素の構成例１．》
画素７０２（ｉ，ｊ）は機能層５２０および表示素子７５０（ｉ，ｊ）を備える（図３（Ａ）参照）。
【０１０７】
《機能層５２０の構成例１．》
機能層５２０は、画素回路５３０（ｉ，ｊ）、絶縁膜５２１Ａおよび絶縁膜５２１Ｂを備える（図３（Ａ）および図４（Ａ）参照）。
【０１０８】
《画素回路５３０（ｉ，ｊ）の構成例１．》
例えば、スイッチ、トランジスタ、ダイオード、抵抗素子、インダクタまたは容量素子等を画素回路５３０（ｉ，ｊ）に用いることができる。
【０１０９】
画素回路は５３０（ｉ，ｊ）は、表示素子７５０（ｉ，ｊ）を駆動する機能を備える。例えば、図３（Ｂ）に示す画素回路は、液晶表示素子を駆動する機能を備える。
【０１１０】
画素回路５３０（ｉ，ｊ）は、スイッチＳＷ１および容量素子Ｃ１１を含む。
【０１１１】
例えば、トランジスタをスイッチＳＷ１に用いることができる（図３（Ｂ）、図４（Ａ）および図４（Ｂ）参照）。
【０１１２】
《トランジスタ》
トランジスタは、半導体膜５０８、導電膜５０４、導電膜５１２Ａおよび導電膜５１２Ｂを備える（図４（Ｂ）参照）。
【０１１３】
半導体膜５０８は、導電膜５１２Ａと電気的に接続される領域５０８Ａ、導電膜５１２Ｂと電気的に接続される領域５０８Ｂを備える。半導体膜５０８は、領域５０８Ａおよび領域５０８Ｂの間に領域５０８Ｃを備える。
【０１１４】
導電膜５０４は領域５０８Ｃと重なる領域を備え、導電膜５０４はゲート電極の機能を備える。
【０１１５】
絶縁膜５０６は、半導体膜５０８および導電膜５０４の間に挟まれる領域を備える。絶縁膜５０６はゲート絶縁膜の機能を備える。
【０１１６】
導電膜５１２Ａはソース電極の機能またはドレイン電極の機能の一方を備え、導電膜５１２Ｂはソース電極の機能またはドレイン電極の機能の他方を備える。
【０１１７】
なお、例えば、同一の工程で形成することができる半導体膜を駆動回路および画素回路のトランジスタに用いることができる。
【０１１８】
例えば、ボトムゲート型のトランジスタまたはトップゲート型のトランジスタなどを駆動回路のトランジスタ、スイッチＳＷ１１（ｊ）に用いるトランジスタまたは画素回路のトランジスタに用いることができる。具体的には、画素回路５３０（ｉ，ｊ）が含むトランジスタが備える形式のトランジスタを、トランジスタＴＲに用いることができる。
【０１１９】
《半導体膜５０８》
例えば、１４族の元素を含む半導体を半導体膜５０８に用いることができる。具体的には、シリコンを含む半導体を半導体膜５０８に用いることができる。例えば、単結晶シリコン、ポリシリコン、微結晶シリコンまたはアモルファスシリコンなどを半導体膜に用いることができる。
【０１２０】
なお、半導体にポリシリコンを用いるトランジスタの作製に要する温度は、半導体に単結晶シリコンを用いるトランジスタに比べて低い。
【０１２１】
また、ポリシリコンを半導体に用いるトランジスタの電界効果移動度は、アモルファスシリコンを半導体に用いるトランジスタに比べて高い。これにより、画素の開口率を向上することができる。また、極めて高い精細度で設けられた画素と、ゲート駆動回路およびソース駆動回路を同一の基板上に形成することができる。その結果、電子機器を構成する部品数を低減することができる。
【０１２２】
また、ポリシリコンを半導体に用いるトランジスタの信頼性は、アモルファスシリコンを半導体に用いるトランジスタに比べて優れる。
【０１２３】
また、化合物半導体を用いるトランジスタを利用することができる。具体的には、ガリウムヒ素を含む半導体を半導体膜に用いることができる。
【０１２４】
また、有機半導体を用いるトランジスタを利用することができる。具体的には、ポリアセン類またはグラフェンを含む有機半導体を半導体膜に用いることができる。
【０１２５】
例えば、酸化物半導体を用いるトランジスタを利用することができる。具体的には、インジウムを含む酸化物半導体またはインジウムとガリウムと亜鉛を含む酸化物半導体を半導体膜に用いることができる。
【０１２６】
一例を挙げれば、オフ状態におけるリーク電流が、半導体膜にアモルファスシリコンを用いたトランジスタより小さいトランジスタを用いることができる。具体的には、酸化物半導体を半導体膜に用いたトランジスタを用いることができる。
【０１２７】
これにより、アモルファスシリコンを半導体膜に用いたトランジスタを利用する画素回路と比較して、画素回路が画像信号を保持することができる時間を長くすることができる。具体的には、フリッカーの発生を抑制しながら、選択信号を３０Ｈｚ未満、好ましくは１Ｈｚ未満より好ましくは一分に一回未満の頻度で供給することができる。その結果、情報処理装置の使用者に蓄積する疲労を低減することができる。また、駆動に伴う消費電力を低減することができる。
【０１２８】
例えば、インジウム、ガリウムおよび亜鉛を含む厚さ２５ｎｍの膜を、半導体膜５０８に用いることができる。
【０１２９】
例えば、タンタルおよび窒素を含む厚さ１０ｎｍの膜と、銅を含む厚さ３００ｎｍの膜と、を積層した導電膜を導電膜５０４に用いることができる。なお、銅を含む膜は、絶縁膜５０６との間に、タンタルおよび窒素を含む膜を挟む領域を備える。
【０１３０】
例えば、シリコンおよび窒素を含む厚さ４００ｎｍの膜と、シリコン、酸素および窒素を含む厚さ２００ｎｍの膜と、を積層した積層膜を、絶縁膜５０６に用いることができる。なお、シリコンおよび窒素を含む膜は、半導体膜５０８との間に、シリコン、酸素および窒素を含む膜を挟む領域を備える。
【０１３１】
例えば、タングステンを含む厚さ５０ｎｍの膜と、アルミニウムを含む厚さ４００ｎｍの膜と、チタンを含む厚さ１００ｎｍの膜と、をこの順で積層した導電膜を、導電膜５１２Ａまたは導電膜５１２Ｂに用いることができる。なお、タングステンを含む膜は、半導体膜５０８と接する領域を備える。
【０１３２】
ところで、例えば、アモルファスシリコンを半導体に用いるボトムゲート型のトランジスタの製造ラインは、酸化物半導体を半導体に用いるボトムゲート型のトランジスタの製造ラインに容易に改造できる。また、例えばポリシリコンを半導体に用いるトップゲート型の製造ラインは、酸化物半導体を半導体に用いるトップゲート型のトランジスタの製造ラインに容易に改造できる。いずれの改造も、既存の製造ラインを有効に活用することができる。
【０１３３】
《表示素子７５０（ｉ，ｊ）の構成例》
表示素子７５０（ｉ，ｊ）は、機能層５２０と重なる領域を備える（図３（Ａ）および図４（Ａ）参照）。また、表示素子７５０（ｉ，ｊ）は、画素回路５３０（ｉ，ｊ）と電気的に接続される。
【０１３４】
例えば、光の反射または透過を制御する機能を備える表示素子を、表示素子７５０（ｉ，ｊ）に用いることができる。具体的には、液晶素子と偏光板を組み合わせた構成等を用いることができる。
【０１３５】
例えば、反射型の液晶表示素子を、表示素子７５０（ｉ，ｊ）に用いることができる。反射型の表示素子を用いることにより、表示パネルの消費電力を抑制することができる。
【０１３６】
例えば、透過型の液晶表示素子を表示素子７５０（ｉ，ｊ）に用いることができる。また、表示パネル７００は、バックライトＢＬが射出する光の透過を制御して、画像を表示する機能を備える。
【０１３７】
例えば、ＩＰＳ（Ｉｎ−Ｐｌａｎｅ−Ｓｗｉｔｃｈｉｎｇ）モード、ＴＮ（Ｔｗｉｓｔｅｄ  Ｎｅｍａｔｉｃ）モード、ＦＦＳ（Ｆｒｉｎｇｅ  Ｆｉｅｌｄ  Ｓｗｉｔｃｈｉｎｇ）モード、ＡＳＭ（Ａｘｉａｌｌｙ  Ｓｙｍｍｅｔｒｉｃ  ａｌｉｇｎｅｄ  Ｍｉｃｒｏ−ｃｅｌｌ）モード、ＯＣＢ（Ｏｐｔｉｃａｌｌｙ  Ｃｏｍｐｅｎｓａｔｅｄ  Ｂｉｒｅｆｒｉｎｇｅｎｃｅ）モード、ＦＬＣ（Ｆｅｒｒｏｅｌｅｃｔｒｉｃ  Ｌｉｑｕｉｄ  Ｃｒｙｓｔａｌ）モード、ＡＦＬＣ（ＡｎｔｉＦｅｒｒｏｅｌｅｃｔｒｉｃ  Ｌｉｑｕｉｄ  Ｃｒｙｓｔａｌ）モードなどの駆動方法を用いて駆動することができる液晶素子を用いることができる。
【０１３８】
また、例えば垂直配向（ＶＡ）モード、具体的には、ＭＶＡ（Ｍｕｌｔｉ−Ｄｏｍａｉｎ  Ｖｅｒｔｉｃａｌ  Ａｌｉｇｎｍｅｎｔ）モード、ＰＶＡ（Ｐａｔｔｅｒｎｅｄ  Ｖｅｒｔｉｃａｌ  Ａｌｉｇｎｍｅｎｔ）モード、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）モード、ＣＰＡ（Ｃｏｎｔｉｎｕｏｕｓ  Ｐｉｎｗｈｅｅｌ  Ａｌｉｇｎｍｅｎｔ）モード、ＡＳＶ（Ａｄｖａｎｃｅｄ  Ｓｕｐｅｒ−Ｖｉｅｗ）モードなどの駆動方法を用いて駆動することができる液晶素子を用いることができる。
【０１３９】
表示素子７５０（ｉ，ｊ）は、電極７５１（ｉ，ｊ）、電極７５２および液晶材料を含む層７５３を備える。
【０１４０】
電極７５１（ｉ，ｊ）は、接続部５９１Ａにおいて画素回路５３０（ｉ，ｊ）と電気的に接続される。
【０１４１】
電極７５２は、液晶材料の配向を制御する電界を、電極７５１（ｉ，ｊ）との間に形成するように配設される。
【０１４２】
表示素子７５０（ｉ，ｊ）は、配向膜ＡＦ１および配向膜ＡＦ２を備える。
【０１４３】
液晶材料を含む層７５３は、配向膜ＡＦ１および配向膜ＡＦ２に挟まれる領域を備える。
【０１４４】
例えば、１．０×１０１３Ω・ｃｍ以上、好ましくは１．０×１０１４Ω・ｃｍ以上、さらに好ましくは１．０×１０１５Ω・ｃｍ以上の固有抵抗率を備える液晶材料を液晶材料を含む層７５３に用いることができる。これにより、表示素子７５０（ｉ，ｊ）の透過率の変動を抑制することができる。または、表示素子７５０（ｉ，ｊ）のチラツキを抑制することができる。または、表示素子７５０（ｉ，ｊ）を書き換える頻度を低減することができる。
【０１４５】
《構造体ＫＢ１》
構造体ＫＢ１は、機能層５２０および基板７７０の間に所定の間隙を設ける機能を備える。
【０１４６】
《機能層７２０》
機能層７２０は、着色膜ＣＦ、絶縁膜７７１および遮光膜ＢＭを備える。
【０１４７】
着色膜ＣＦは、基板７７０および表示素子７５０（ｉ，ｊ）の間に挟まれる領域を備える。
【０１４８】
遮光膜ＢＭは、画素７０２（ｉ，ｊ）と重なる領域に開口部を備える。
【０１４９】
絶縁膜７７１は、着色膜ＣＦと液晶材料を含む層７５３の間に挟まれる領域または遮光膜ＢＭと液晶材料を含む層７５３の間に挟まれる領域を備える。これにより、着色膜ＣＦの厚さに基づく凹凸を平坦にすることができる。または、遮光膜ＢＭまたは着色膜ＣＦ等から液晶材料を含む層７５３への不純物の拡散を、抑制することができる。
【０１５０】
《機能膜７７０Ｐ、機能膜７７０Ｄ等》
機能膜７７０Ｐは、表示素子７５０（ｉ，ｊ）と重なる領域を備える。また、機能膜７７０Ｄは、表示素子７５０（ｉ，ｊ）と重なる領域を備える。
【０１５１】
例えば、反射防止フィルム、偏光フィルム、位相差フィルム、光拡散フィルムまたは集光フィルム等を機能膜７７０Ｐまたは機能膜７７０Ｄに用いることができる。
【０１５２】
具体的には、円偏光フィルムを機能膜７７０Ｐに用いることができる。また、光拡散フィルムを機能膜７７０Ｄに用いることができる。
【０１５３】
また、ゴミの付着を抑制する帯電防止膜、汚れを付着しにくくする撥水性の膜、反射防止膜（アンチ・リフレクション膜）、非光沢処理膜（アンチ・グレア膜）、使用に伴う傷の発生を抑制するハードコート膜などを、機能膜７７０Ｐに用いることができる。
【０１５４】
なお、本実施の形態は、本明細書で示す他の実施の形態と適宜組み合わせることができる。
【０１５５】
（実施の形態２）
本実施の形態では、本発明の一態様の表示パネルの構成について、図２、図６および図７を参照しながら説明する。
【０１５６】
図２（Ａ）は本発明の一態様の表示パネルの構成を説明する上面図であり、図２（Ｂ）は図２（Ａ）の一部を説明する上面図であり、図２（Ｃ）は他の一部を説明する上面図である。
【０１５７】
図６および図７は本発明の一態様の表示パネルの構成を説明する図である。
【０１５８】
＜表示パネルの構成例５．＞
本実施の形態で説明する表示パネル７００は、表示領域２３１を有する（図２および図６参照）。
【０１５９】
《表示領域の構成例１．》
表示領域２３１は、一群の複数の画素７０２（ｉ，１）乃至画素７０２（ｉ，ｎ）と、他の一群の複数の画素７０２（１，ｊ）乃至画素７０２（ｍ，ｊ）と、走査線Ｇ１（ｉ）と、信号線Ｓ１（ｉ）と、を有する（図６参照）。なお、ｉは１以上ｍ以下の整数であり、ｊは１以上ｎ以下の整数であり、ｍおよびｎは１以上の整数である。
【０１６０】
また、表示領域２３１は、導電膜ＶＣＯＭ１と、導電膜ＣＳＣＯＭとを有する。
【０１６１】
一群の複数の画素７０２（ｉ，１）乃至画素７０２（ｉ，ｎ）は画素７０２（ｉ，ｊ）を含み、一群の複数の画素７０２（ｉ，１）乃至画素７０２（ｉ，ｎ）は行方向（図中に矢印Ｒ１で示す方向）に配設される。
【０１６２】
他の一群の複数の画素７０２（１，ｊ）乃至画素７０２（ｍ，ｊ）は画素７０２（ｉ，ｊ）を含み、他の一群の複数の画素７０２（１，ｊ）乃至画素７０２（ｍ，ｊ）は行方向と交差する列方向（図中に矢印Ｃ１で示す方向）に配設される。
【０１６３】
走査線Ｇ１（ｉ）は、行方向に配設される一群の複数の画素７０２（ｉ，１）乃至画素７０２（ｉ，ｎ）と電気的に接続される。
【０１６４】
信号線Ｓ１（ｊ）は、列方向に配設される他の一群の複数の画素７０２（１，ｊ）乃至画素７０２（ｍ，ｊ）と電気的に接続される。
【０１６５】
《表示領域の構成例２．》
表示領域２３１は７６００個以上の画素を行方向に備え、表示領域２３１は４３００個以上の画素を列方向に備える。例えば、７６８０個の画素を行方向に備え、７３２０個の画素を列方向に備える。
【０１６６】
＜表示パネルの構成例６．＞
本実施の形態で説明する表示パネル７００は、複数の画素を備える。当該複数の画素は、色相が互いに異なる色を表示する機能を備える。または、当該複数の画素を用いて、各々その画素では表示できない色相の色を、加法混色により表示することができる。
【０１６７】
《画素の構成例２．》
なお、色相が異なる色を表示することができる複数の画素を混色に用いる場合において、それぞれの画素を副画素と言い換えることができる。また、複数の副画素を一組にして、画素と言い換えることができる。
【０１６８】
例えば、画素７０２（ｉ，ｊ）を副画素と言い換えることができ、画素７０２（ｉ，ｊ）、画素７０２（ｉ，ｊ＋１）および画素７０２（ｉ，ｊ＋２）を一組にして、画素７０３（ｉ，ｋ）と言い換えることができる（図２（Ｃ）参照）。
【０１６９】
具体的には、青色を表示する副画素、緑色を表示する副画素および赤色を表示する副画素を一組にして、画素７０３（ｉ，ｋ）に用いることができる。また、シアンを表示する副画素、マゼンタを表示する副画素およびイエローを表示する副画素を一組にして、画素７０３（ｉ，ｋ）に用いることができる。
【０１７０】
また、例えば、白色等を表示する副画素を上記の一組に加えて、画素に用いることができる。
【０１７１】
＜表示パネルの構成例７．＞
表示領域２３１は、画素７０２（ｉ，ｊ）、画素７０２（ｉ，ｊ＋１）および画素７０２（ｉ，ｊ＋２）を備える（図２（Ｃ）参照）。
【０１７２】
画素７０２（ｉ，ｊ）は、ＣＩＥ１９３１色度座標における色度ｘが０．６８０より大きく０．７２０以下、色度ｙが０．２６０以上０．３２０以下の色を表示する。
【０１７３】
画素７０２（ｉ，ｊ＋１）は、ＣＩＥ１９３１色度座標における色度ｘが０．１３０以上０．２５０以下、色度ｙが０．７１０より大きく０．８１０以下の色を表示する。
【０１７４】
画素７０２（ｉ，ｊ＋２）は、ＣＩＥ１９３１色度座標における色度ｘが０．１２０以上０．１７０以下、色度ｙが０．０２０以上０．０６０未満の色を表示する。
【０１７５】
また、画素７０２（ｉ，ｊ）、画素７０２（ｉ，ｊ＋１）および画素７０２（ｉ，ｊ＋２）を、ＣＩＥ色度図（ｘ，ｙ）におけるＢＴ．２０２０の色域に対する面積比が８０％以上、または、該色域に対するカバー率が７５％以上になるように備える。好ましくは、面積比が９０％以上、または、カバー率が８５％以上になるように備える。
【０１７６】
＜表示パネルの構成例８．＞
また、本実施の形態で説明する表示パネル７００は、駆動回路ＧＤまたは駆動回路ＳＤを備えることができる（図６参照）。
【０１７７】
《駆動回路ＧＤ》
駆動回路ＧＤは、制御情報に基づいて選択信号を供給する機能を有する。
【０１７８】
一例を挙げれば、制御情報に基づいて、３０Ｈｚ以上、好ましくは６０Ｈｚ以上の頻度で一の走査線に選択信号を供給する機能を備える。これにより、動画像をなめらかに表示することができる。
【０１７９】
例えば、制御情報に基づいて、３０Ｈｚ未満、好ましくは１Ｈｚ未満より好ましくは一分に一回未満の頻度で一の走査線に選択信号を供給する機能を備える。これにより、フリッカーが抑制された状態で静止画像を表示することができる。
【０１８０】
また、表示パネルは、複数の駆動回路を有することができる。例えば、表示パネル７００Ｂは、駆動回路ＧＤＡおよび駆動回路ＧＤＢを有する（図７参照）。
【０１８１】
また、複数の駆動回路を備える場合、例えば、駆動回路ＧＤＡが選択信号を供給する頻度と、駆動回路ＧＤＢが選択信号を供給する頻度とを、異ならせることができる。具体的には、静止画像を表示する一の領域に選択信号を供給する頻度より高い頻度で、動画像を表示する他の領域に選択信号を供給することができる。これにより、一の領域にフリッカーが抑制された状態で静止画像を表示し、他の領域に滑らかに動画像を表示することができる。
【０１８２】
《駆動回路ＳＤ》
駆動回路ＳＤは、駆動回路ＳＤを有する。駆動回路ＳＤは、情報Ｖ１１に基づいて画像信号を供給する機能を有する（図６参照）。
【０１８３】
駆動回路ＳＤは、画像信号を生成する機能と、当該画像信号を一の表示素子と電気的に接続される画素回路に供給する機能を備える。
【０１８４】
例えば、シフトレジスタ等のさまざまな順序回路等を駆動回路ＳＤに用いることができる。
【０１８５】
例えば、シリコン基板上に形成された集積回路を駆動回路ＳＤに用いることができる。
【０１８６】
例えば、ＣＯＧ（Ｃｈｉｐ  ｏｎ  ｇｌａｓｓ）法またはＣＯＦ（Ｃｈｉｐ  ｏｎ  Ｆｉｌｍ）法を用いて、集積回路を端子に実装することができる。具体的には、異方性導電膜を用いて、集積回路を端子に実装することができる。
【０１８７】
なお、本実施の形態は、本明細書で示す他の実施の形態と適宜組み合わせることができる。
【０１８８】
（実施の形態３）
本実施の形態では、本発明の一態様で開示されるトランジスタの半導体層に用いることができる金属酸化物について説明する。なお、トランジスタの半導体層に金属酸化物を用いる場合、当該金属酸化物を酸化物半導体と読み替えてもよい。
【０１８９】
酸化物半導体は、単結晶酸化物半導体と、非単結晶酸化物半導体と、に分けられる。非単結晶酸化物半導体としては、ＣＡＡＣ−ＯＳ（ｃ−ａｘｉｓ−ａｌｉｇｎｅｄ  ｃｒｙｓｔａｌｌｉｎｅ  ｏｘｉｄｅ  ｓｅｍｉｃｏｎｄｕｃｔｏｒ）、多結晶酸化物半導体、ｎｃ−ＯＳ（ｎａｎｏｃｒｙｓｔａｌｌｉｎｅ  ｏｘｉｄｅ  ｓｅｍｉｃｏｎｄｕｃｔｏｒ）、擬似非晶質酸化物半導体（ａ−ｌｉｋｅ  ＯＳ：ａｍｏｒｐｈｏｕｓ−ｌｉｋｅ  ｏｘｉｄｅ  ｓｅｍｉｃｏｎｄｕｃｔｏｒ）、及び非晶質酸化物半導体などがある。
【０１９０】
また、非単結晶酸化物半導体の１つとして、半結晶性酸化物半導体（Ｓｅｍｉ−ｃｒｙｓｔａｌｌｉｎｅ  ｏｘｉｄｅ  ｓｅｍｉｃｏｎｄｕｃｔｏｒ）と呼称される酸化物半導体が挙げられる。半結晶性酸化物半導体とは、単結晶酸化物半導体と非晶質酸化物半導体との中間構造を有する。半結晶性酸化物半導体は、非晶質酸化物半導体と比較して構造が安定である。例えば、半結晶性酸化物半導体としては、ＣＡＡＣ構造を有し、かつＣＡＣ（Ｃｌｏｕｄ−Ａｌｉｇｎｅｄ  Ｃｏｍｐｏｓｉｔｅ）構成である酸化物半導体がある。ＣＡＣの詳細については、以下で説明を行う。
【０１９１】
また、本発明の一態様で開示されるトランジスタの半導体層には、ＣＡＣ−ＯＳ（Ｃｌｏｕｄ−Ａｌｉｇｎｅｄ  Ｃｏｍｐｏｓｉｔｅ  ｏｘｉｄｅ  ｓｅｍｉｃｏｎｄｕｃｔｏｒ）を用いてもよい。
【０１９２】
なお、本発明の一態様で開示されるトランジスタの半導体層は、上述した非単結晶酸化物半導体またはＣＡＣ−ＯＳを好適に用いることができる。また、非単結晶酸化物半導体としては、ｎｃ−ＯＳまたはＣＡＡＣ−ＯＳを好適に用いることができる。
【０１９３】
なお、本発明の一態様では、トランジスタの半導体層として、ＣＡＣ−ＯＳを用いると好ましい。ＣＡＣ−ＯＳを用いることで、トランジスタに高い電気特性または高い信頼性を付与することができる。
【０１９４】
以下では、ＣＡＣ−ＯＳの詳細について説明する。
【０１９５】
ＣＡＣ−ＯＳまたはＣＡＣ−ｍｅｔａｌ  ｏｘｉｄｅは、材料の一部では導電性の機能と、材料の一部では絶縁性の機能とを有し、材料の全体では半導体としての機能を有する。なお、ＣＡＣ−ＯＳまたはＣＡＣ−ｍｅｔａｌ  ｏｘｉｄｅを、トランジスタのチャネル形成領域に用いる場合、導電性の機能は、キャリアとなる電子（またはホール）を流す機能であり、絶縁性の機能は、キャリアとなる電子を流さない機能である。導電性の機能と、絶縁性の機能とを、それぞれ相補的に作用させることで、スイッチングさせる機能（Ｏｎ／Ｏｆｆさせる機能）をＣＡＣ−ＯＳまたはＣＡＣ−ｍｅｔａｌ  ｏｘｉｄｅに付与することができる。ＣＡＣ−ＯＳまたはＣＡＣ−ｍｅｔａｌ  ｏｘｉｄｅにおいて、それぞれの機能を分離させることで、双方の機能を最大限に高めることができる。
【０１９６】
また、ＣＡＣ−ＯＳまたはＣＡＣ−ｍｅｔａｌ  ｏｘｉｄｅは、導電性領域、及び絶縁性領域を有する。導電性領域は、上述の導電性の機能を有し、絶縁性領域は、上述の絶縁性の機能を有する。また、材料中において、導電性領域と、絶縁性領域とは、ナノ粒子レベルで分離している場合がある。また、導電性領域と、絶縁性領域とは、それぞれ材料中に偏在する場合がある。また、導電性領域は、周辺がぼけてクラウド状に連結して観察される場合がある。
【０１９７】
また、ＣＡＣ−ＯＳまたはＣＡＣ−ｍｅｔａｌ  ｏｘｉｄｅにおいて、導電性領域と、絶縁性領域とは、それぞれ０．５ｎｍ以上１０ｎｍ以下、好ましくは０．５ｎｍ以上３ｎｍ以下のサイズで材料中に分散している場合がある。
【０１９８】
また、ＣＡＣ−ＯＳまたはＣＡＣ−ｍｅｔａｌ  ｏｘｉｄｅは、異なるバンドギャップを有する成分により構成される。例えば、ＣＡＣ−ＯＳまたはＣＡＣ−ｍｅｔａｌ  ｏｘｉｄｅは、絶縁性領域に起因するワイドギャップを有する成分と、導電性領域に起因するナローギャップを有する成分と、により構成される。当該構成の場合、キャリアを流す際に、ナローギャップを有する成分において、主にキャリアが流れる。また、ナローギャップを有する成分が、ワイドギャップを有する成分に相補的に作用し、ナローギャップを有する成分に連動してワイドギャップを有する成分にもキャリアが流れる。このため、上記ＣＡＣ−ＯＳまたはＣＡＣ−ｍｅｔａｌ  ｏｘｉｄｅをトランジスタのチャネル形成領域に用いる場合、トランジスタのオン状態において高い電流駆動力、つまり大きなオン電流、及び高い電界効果移動度を得ることができる。
【０１９９】
すなわち、ＣＡＣ−ＯＳまたはＣＡＣ−ｍｅｔａｌ  ｏｘｉｄｅは、マトリックス複合材（ｍａｔｒｉｘ  ｃｏｍｐｏｓｉｔｅ）または金属マトリックス複合材（ｍｅｔａｌ  ｍａｔｒｉｘ  ｃｏｍｐｏｓｉｔｅ）と呼称することもできる。
【０２００】
ＣＡＣ−ＯＳは、例えば、金属酸化物を構成する元素が、０．５ｎｍ以上１０ｎｍ以下、好ましくは、１ｎｍ以上２ｎｍ以下またはその近傍のサイズで偏在した材料の一構成である。なお、以下では、金属酸化物において、一つあるいはそれ以上の金属元素が偏在し、該金属元素を有する領域が、０．５ｎｍ以上１０ｎｍ以下、好ましくは、１ｎｍ以上２ｎｍ以下またはその近傍のサイズで混合した状態をモザイク状またはパッチ状ともいう。
【０２０１】
なお、金属酸化物は、少なくともインジウムを含むことが好ましい。特にインジウム及び亜鉛を含むことが好ましい。また、それらに加えて、アルミニウム、ガリウム、イットリウム、銅、バナジウム、ベリリウム、ホウ素、シリコン、チタン、鉄、ニッケル、ゲルマニウム、ジルコニウム、モリブデン、ランタン、セリウム、ネオジム、ハフニウム、タンタル、タングステン、またはマグネシウムなどから選ばれた一種または複数種が含まれていてもよい。
【０２０２】
例えば、Ｉｎ−Ｇａ−Ｚｎ酸化物におけるＣＡＣ−ＯＳ（ＣＡＣ−ＯＳの中でもＩｎ−Ｇａ−Ｚｎ酸化物を、特にＣＡＣ−ＩＧＺＯと呼称してもよい。）とは、インジウム酸化物（以下、ＩｎＯＸ１（Ｘ１は０よりも大きい実数）とする。）、またはインジウム亜鉛酸化物（以下、ＩｎＸ２ＺｎＹ２ＯＺ２（Ｘ２、Ｙ２、及びＺ２は０よりも大きい実数）とする。）と、ガリウム酸化物（以下、ＧａＯＸ３（Ｘ３は０よりも大きい実数）とする。）、またはガリウム亜鉛酸化物（以下、ＧａＸ４ＺｎＹ４ＯＺ４（Ｘ４、Ｙ４、及びＺ４は０よりも大きい実数）とする。）などと、に材料が分離することでモザイク状となり、モザイク状のＩｎＯＸ１、またはＩｎＸ２ＺｎＹ２ＯＺ２が、膜中に均一に分布した構成（以下、クラウド状ともいう。）である。
【０２０３】
つまり、ＣＡＣ−ＯＳは、ＧａＯＸ３が主成分である領域と、ＩｎＸ２ＺｎＹ２ＯＺ２、またはＩｎＯＸ１が主成分である領域とが、混合している構成を有する複合金属酸化物である。なお、本明細書において、例えば、第１の領域の元素Ｍに対するＩｎの原子数比が、第２の領域の元素Ｍに対するＩｎの原子数比よりも大きいことを、第１の領域は、第２の領域と比較して、Ｉｎの濃度が高いとする。
【０２０４】
なお、ＩＧＺＯは通称であり、Ｉｎ、Ｇａ、Ｚｎ、及びＯによる１つの化合物をいう場合がある。代表例として、ＩｎＧａＯ３（ＺｎＯ）ｍ１（ｍ１は自然数）、またはＩｎ（１＋ｘ０）Ｇａ（１−ｘ０）Ｏ３（ＺｎＯ）ｍ０（−１≦ｘ０≦１、ｍ０は任意数）で表される結晶性の化合物が挙げられる。
【０２０５】
上記結晶性の化合物は、単結晶構造、多結晶構造、またはＣＡＡＣ（ｃ−ａｘｉｓ  ａｌｉｇｎｅｄ  ｃｒｙｓｔａｌ）構造を有する。なお、ＣＡＡＣ構造とは、複数のＩＧＺＯのナノ結晶がｃ軸配向を有し、かつａ−ｂ面においては配向せずに連結した結晶構造である。
【０２０６】
一方、ＣＡＣ−ＯＳは、金属酸化物の材料構成に関する。ＣＡＣ−ＯＳとは、Ｉｎ、Ｇａ、Ｚｎ、及びＯを含む材料構成において、一部にＧａを主成分とするナノ粒子状に観察される領域と、一部にＩｎを主成分とするナノ粒子状に観察される領域とが、それぞれモザイク状にランダムに分散している構成をいう。従って、ＣＡＣ−ＯＳにおいて、結晶構造は副次的な要素である。
【０２０７】
なお、ＣＡＣ−ＯＳは、組成の異なる二種類以上の膜の積層構造は含まないものとする。例えば、Ｉｎを主成分とする膜と、Ｇａを主成分とする膜との２層からなる構造は、含まない。
【０２０８】
なお、ＧａＯＸ３が主成分である領域と、ＩｎＸ２ＺｎＹ２ＯＺ２、またはＩｎＯＸ１が主成分である領域とは、明確な境界が観察できない場合がある。
【０２０９】
なお、ガリウムの代わりに、アルミニウム、イットリウム、銅、バナジウム、ベリリウム、ホウ素、シリコン、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種が含まれている場合、ＣＡＣ−ＯＳは、一部に該金属元素を主成分とするナノ粒子状に観察される領域と、一部にＩｎを主成分とするナノ粒子状に観察される領域とが、それぞれモザイク状にランダムに分散している構成をいう。
【０２１０】
ＣＡＣ−ＯＳは、例えば基板を意図的に加熱しない条件で、スパッタリング法により形成することができる。また、ＣＡＣ−ＯＳをスパッタリング法で形成する場合、成膜ガスとして、不活性ガス（代表的にはアルゴン）、酸素ガス、及び窒素ガスの中から選ばれたいずれか一つまたは複数を用いればよい。また、成膜時の成膜ガスの総流量に対する酸素ガスの流量比は低いほど好ましく、例えば酸素ガスの流量比を０％以上３０％未満、好ましくは０％以上１０％以下とすることが好ましい。
【０２１１】
ＣＡＣ−ＯＳは、Ｘ線回折（ＸＲＤ：Ｘ−ｒａｙ  ｄｉｆｆｒａｃｔｉｏｎ）測定法のひとつであるＯｕｔ−ｏｆ−ｐｌａｎｅ法によるθ／２θスキャンを用いて測定したときに、明確なピークが観察されないという特徴を有する。すなわち、Ｘ線回折から、測定領域のａ−ｂ面方向、及びｃ軸方向の配向は見られないことが分かる。
【０２１２】
またＣＡＣ−ＯＳは、プローブ径が１ｎｍの電子線（ナノビーム電子線ともいう。）を照射することで得られる電子線回折パターンにおいて、リング状に輝度の高い領域と、該リング領域に複数の輝点が観測される。従って、電子線回折パターンから、ＣＡＣ−ＯＳの結晶構造が、平面方向、及び断面方向において、配向性を有さないｎｃ（ｎａｎｏ−ｃｒｙｓｔａｌ）構造を有することがわかる。
【０２１３】
また例えば、Ｉｎ−Ｇａ−Ｚｎ酸化物におけるＣＡＣ−ＯＳでは、エネルギー分散型Ｘ線分光法（ＥＤＸ：Ｅｎｅｒｇｙ  Ｄｉｓｐｅｒｓｉｖｅ  Ｘ−ｒａｙ  ｓｐｅｃｔｒｏｓｃｏｐｙ）を用いて取得したＥＤＸマッピングにより、ＧａＯＸ３が主成分である領域と、ＩｎＸ２ＺｎＹ２ＯＺ２、またはＩｎＯＸ１が主成分である領域とが、偏在し、混合している構造を有することが確認できる。
【０２１４】
ＣＡＣ−ＯＳは、金属元素が均一に分布したＩＧＺＯ化合物とは異なる構造であり、ＩＧＺＯ化合物と異なる性質を有する。つまり、ＣＡＣ−ＯＳは、ＧａＯＸ３などが主成分である領域と、ＩｎＸ２ＺｎＹ２ＯＺ２、またはＩｎＯＸ１が主成分である領域と、に互いに相分離し、各元素を主成分とする領域がモザイク状である構造を有する。
【０２１５】
ここで、ＩｎＸ２ＺｎＹ２ＯＺ２、またはＩｎＯＸ１が主成分である領域は、ＧａＯＸ３などが主成分である領域と比較して、導電性が高い領域である。つまり、ＩｎＸ２ＺｎＹ２ＯＺ２、またはＩｎＯＸ１が主成分である領域を、キャリアが流れることにより、酸化物半導体としての導電性が発現する。従って、ＩｎＸ２ＺｎＹ２ＯＺ２、またはＩｎＯＸ１が主成分である領域が、酸化物半導体中にクラウド状に分布することで、高い電界効果移動度（μ）が実現できる。
【０２１６】
一方、ＧａＯＸ３などが主成分である領域は、ＩｎＸ２ＺｎＹ２ＯＺ２、またはＩｎＯＸ１が主成分である領域と比較して、絶縁性が高い領域である。つまり、ＧａＯＸ３などが主成分である領域が、酸化物半導体中に分布することで、リーク電流を抑制し、良好なスイッチング動作を実現できる。
【０２１７】
従って、ＣＡＣ−ＯＳを半導体素子に用いた場合、ＧａＯＸ３などに起因する絶縁性と、ＩｎＸ２ＺｎＹ２ＯＺ２、またはＩｎＯＸ１に起因する導電性とが、相補的に作用することにより、高いオン電流（Ｉｏｎ）、及び高い電界効果移動度（μ）を実現することができる。
【０２１８】
また、ＣＡＣ−ＯＳを用いた半導体素子は、信頼性が高い。従って、ＣＡＣ−ＯＳは、ディスプレイをはじめとするさまざまな半導体装置に最適である。
【０２１９】
また、ＣＡＡＣ−ＯＳまたはＣＡＣ−ＯＳを半導体膜に用いるトランジスタは、チャネル長を短くすることができ、オン電流を大きくすることができ、オフ電流をきわめて小さくすることができ、ばらつきを抑制することができ、信頼性が高く、第８世代から第１０世代程度の大型のガラス基板に作製することができる。これにより、大型の有機ＥＬテレビのバックプレーンに好適に用いることができる。
【０２２０】
本実施の形態は、他の実施の形態と適宜組み合わせることができる。
【０２２１】
（実施の形態４）
本実施の形態では、本発明の一態様の表示装置の構成について、図８を参照しながら説明する。
【０２２２】
図８は本発明の一態様の表示装置の構成を説明する図である。図８（Ａ）は本発明の一態様の表示装置のブロック図であり、図８（Ｂ−１）乃至図８（Ｂ−３）は本発明の一態様の表示装置の外観を説明する投影図である。
【０２２３】
＜表示装置の構成例＞
本実施の形態で説明する表示装置は、制御部２３８と、表示パネル７００Ｂと、を有する（図８（Ａ）参照）。
【０２２４】
《制御部２３８》
制御部２３８は、画像情報Ｖ１および制御情報ＳＳを供給される機能を備える。例えば、クロック信号またはタイミング信号などを制御情報ＳＳに用いることができる。
【０２２５】
制御部２３８は、画像情報Ｖ１に基づいて情報Ｖ１１を生成する機能を備える。制御部２３８は、情報Ｖ１１を供給する機能を備える。例えば、情報Ｖ１１は、８ｂｉｔ以上好ましくは１２ｂｉｔ以上の階調を含む。
【０２２６】
例えば、制御部２３８は、制御回路２３３、伸張回路２３４および画像処理回路２３５Ｍを備える。
【０２２７】
《制御回路２３３》
制御回路２３３は、制御信号を駆動回路ＧＤＡ（１）および駆動回路ＧＤＢ（１）、駆動回路ＧＤＡ（２）および駆動回路ＧＤＢ（２）、駆動回路ＳＤ（１）乃至駆動回路ＳＤ（３）などに供給する機能を備える。これにより、複数の駆動回路の動作を同期することができる。例えば、タイミングコントローラを制御回路２３３に用いることができる。
【０２２８】
なお、制御回路２３３を表示パネルに含めることもできる。例えば、リジッド基板に実装された制御回路２３３を、フレキシブルプリント基板を用いて駆動回路と電気的に接続して、表示パネルに用いることができる。
【０２２９】
《表示パネル７００Ｂ》
表示パネル７００Ｂは、情報Ｖ１１を供給される機能を備える。また、表示パネル７００Ｂは、画素７０２（ｉ，ｊ）を備える。例えば、走査線Ｇ１（ｉ）は、６０Ｈｚ以上、好ましくは１２０Ｈｚ以上の頻度で選択信号を供給される。例えば、駆動回路ＧＤＡ（１）、駆動回路ＧＤＢ（１）、駆動回路ＧＤＡ（２）および駆動回路ＧＤＢ（２）は、選択信号を供給する機能を備える。
【０２３０】
画素７０２（ｉ，ｊ）は、表示素子を備える。表示素子は、情報Ｖ１１に基づいて表示する機能を備える。例えば、液晶素子を、表示素子に用いることができる。
【０２３１】
例えば、実施の形態２で説明する表示パネルを表示パネル７００Ｂに用いることができる。
【０２３２】
これにより、表示素子を用いて画像情報を表示することができる。その結果、利便性または信頼性に優れた新規な表示装置を提供することができる。または、例えば、テレビジョン受像システム（図８（Ｂ−１）参照）、映像モニター（図８（Ｂ−２）参照）またはノートブックコンピュータ（図８（Ｂ−３）参照）などを提供することができる。
【０２３３】
《伸張回路２３４》
伸張回路２３４は、圧縮された状態で供給される画像情報Ｖ１を伸張する機能を備える。伸張回路２３４は、記憶部を備える。記憶部は、例えば伸張された画像情報を記憶する機能を備える。
【０２３４】
《画像処理回路２３５Ｍ》
画像処理回路２３５Ｍは、例えば、領域を備える。
【０２３５】
領域は、例えば、画像情報Ｖ１に含まれる情報を記憶する機能を備える。
【０２３６】
画像処理回路２３５Ｍは、例えば、所定の特性曲線に基づいて画像情報Ｖ１を補正して情報Ｖ１１を生成する機能と、情報Ｖ１１を供給する機能と、を備える。具体的には、表示素子が良好な画像を表示するように、情報Ｖ１１を生成する機能を備える。
【０２３７】
なお、本実施の形態は、本明細書で示す他の実施の形態と適宜組み合わせることができる。
【０２３８】
（実施の形態５）
本実施の形態では、本発明の一態様の入出力装置の構成について、図９を参照しながら説明する。
【０２３９】
図９は本発明の一態様の入出力装置の構成を説明するブロック図である。
【０２４０】
＜入出力装置の構成例＞
本実施の形態で説明する入出力装置は、入力部２４０と、表示部２３０と、を有する（図９参照）。例えば、実施の形態１または実施の形態２に記載の表示パネル７００を表示部２３０に用いることができる。なお、入力部２４０および表示部２３０を有する構成を入出力パネル７００ＴＰということができる。
【０２４１】
入力部２４０は検知領域２４１を備える。入力部２４０は検知領域２４１に近接するものを検知する機能を備える。
【０２４２】
検知領域２４１は、画素７０２（ｉ，ｊ）と重なる領域を備える。
【０２４３】
《入力部２４０》
入力部２４０は検知領域２４１を備える。入力部２４０は発振回路ＯＳＣおよび検知回路ＤＣを備えることができる（図９参照）。
【０２４４】
《検知領域２４１》
検知領域２４１は、例えば、単数または複数の検知素子を備える。
【０２４５】
検知領域２４１は、一群の検知素子７７５（ｇ，１）乃至検知素子７７５（ｇ，ｑ）と、他の一群の検知素子７７５（１，ｈ）乃至検知素子７７５（ｐ，ｈ）と、を有する（図９参照）。なお、ｇは１以上ｐ以下の整数であり、ｈは１以上ｑ以下の整数であり、ｐおよびｑは１以上の整数である。
【０２４６】
一群の検知素子７７５（ｇ，１）乃至検知素子７７５（ｇ，ｑ）は、検知素子７７５（ｇ，ｈ）を含み、行方向（図中に矢印Ｒ２で示す方向）に配設される。なお、図９に矢印Ｒ２で示す方向は、図９に矢印Ｒ１で示す方向と同じであっても良いし、異なっていてもよい。
【０２４７】
また、他の一群の検知素子７７５（１，ｈ）乃至検知素子７７５（ｐ，ｈ）は、検知素子７７５（ｇ，ｈ）を含み、行方向と交差する列方向（図中に矢印Ｃ２で示す方向）に配設される。
【０２４８】
《検知素子》
検知素子は近接するポインタを検知する機能を備える。例えば、指やスタイラスペン等をポインタに用いることができる。例えば、金属片またはコイル等を、スタイラスペンに用いることができる。
【０２４９】
具体的には、静電容量方式の近接センサ、電磁誘導方式の近接センサ、光学方式の近接センサ、抵抗膜方式の近接センサなどを、検知素子に用いることができる。
【０２５０】
また、複数の方式の検知素子を併用することもできる。例えば、指を検知する検知素子と、スタイラスペンを検知する検知素子とを、併用することができる。
【０２５１】
これにより、ポインタの種類を判別することができる。または、判別したポインタの種類に基づいて、異なる命令を検知情報に関連付けることができる。具体的には、ポインタに指を用いたと判別した場合は、検知情報をジェスチャーと関連付けることができる。または、ポインターにスタイラスペンを用いたと判別した場合は、検知情報を描画処理と関連付けることができる。
【０２５２】
具体的には、静電容量方式または光学方式の近接センサを用いて、指を検知することができる。または、電磁誘導方式または光学方式の近接センサを用いて、スタイラスペンを検知することができる。
【０２５３】
なお、本実施の形態は、本明細書で示す他の実施の形態と適宜組み合わせることができる。
【０２５４】
（実施の形態６）
本実施の形態では、本発明の一態様の情報処理装置の構成について、図１０乃至図１２を参照しながら説明する。
【０２５５】
図１０（Ａ）は本発明の一態様の情報処理装置の構成を説明するブロック図である。図１０（Ｂ）および図１０（Ｃ）は、情報処理装置２００の外観の一例を説明する投影図である。
【０２５６】
図１１は、本発明の一態様のプログラムを説明するフローチャートである。図１１（Ａ）は、本発明の一態様のプログラムの主の処理を説明するフローチャートであり、図１１（Ｂ）は、割り込み処理を説明するフローチャートである。
【０２５７】
図１２は、本発明の一態様のプログラムを説明する図である。図１２（Ａ）は、本発明の一態様のプログラムの割り込み処理を説明するフローチャートであり、図１２（Ｂ）は、本発明の一態様の情報処理装置の動作を説明するタイミングチャートである。
【０２５８】
＜情報処理装置の構成例１．＞
本実施の形態で説明する情報処理装置２００は、入出力装置２２０と、演算装置２１０と、を有する（図１０（Ａ）参照）。入出力装置は、演算装置２１０と電気的に接続される。また、情報処理装置２００は筐体を備えることができる（図１０（Ｂ）または図１０（Ｃ）参照）。
【０２５９】
入出力装置２２０は表示部２３０および入力部２４０を備える（図１０（Ａ）参照）。入出力装置２２０は検知部２５０を備える。また、入出力装置２２０は通信部２９０を備えることができる。
【０２６０】
入出力装置２２０は画像情報Ｖ１または制御情報ＳＳを供給される機能を備え、位置情報Ｐ１または検知情報ＤＳを供給する機能を備える。
【０２６１】
演算装置２１０は位置情報Ｐ１または検知情報ＤＳを供給させる機能を備える。演算装置２１０は画像情報Ｖ１を供給する機能を備える。演算装置２１０は、例えば、位置情報Ｐ１または検知情報ＤＳに基づいて動作する機能を備える。
【０２６２】
なお、筐体は入出力装置２２０または演算装置２１０を収納する機能を備える。または、筐体は表示部２３０または演算装置２１０を支持する機能を備える。
【０２６３】
表示部２３０は画像情報Ｖ１に基づいて画像を表示する機能を備える。表示部２３０は制御情報ＳＳに基づいて画像を表示する機能を備える。
【０２６４】
入力部２４０は、位置情報Ｐ１を供給する機能を備える。
【０２６５】
検知部２５０は検知情報ＤＳを供給する機能を備える。検知部２５０は、例えば、情報処理装置２００が使用される環境の照度を検出する機能を備え、照度情報を供給する機能を備える。
【０２６６】
これにより、情報処理装置は、情報処理装置が使用される環境において、情報処理装置の筐体が受ける光の強さを把握して動作することができる。または、情報処理装置の使用者は、表示方法を選択することができる。その結果、利便性または信頼性に優れた新規な情報処理装置を提供することができる。
【０２６７】
以下に、情報処理装置を構成する個々の要素について説明する。なお、これらの構成は明確に分離できず、一つの構成が他の構成を兼ねる場合や他の構成の一部を含む場合がある。例えばタッチセンサが表示パネルに重ねられたタッチパネルは、表示部であるとともに入力部でもある。
【０２６８】
《構成例》
本発明の一態様の情報処理装置２００は、筐体または演算装置２１０を有する。
【０２６９】
演算装置２１０は、演算部２１１、記憶部２１２、伝送路２１４、入出力インターフェース２１５を備える。
【０２７０】
また、本発明の一態様の情報処理装置は、入出力装置２２０を有する。
【０２７１】
入出力装置２２０は、表示部２３０、入力部２４０、検知部２５０および通信部２９０を備える。
【０２７２】
《情報処理装置》
本発明の一態様の情報処理装置は、演算装置２１０または入出力装置２２０を備える。
【０２７３】
《演算装置２１０》
演算装置２１０は、演算部２１１および記憶部２１２を備える。また、伝送路２１４および入出力インターフェース２１５を備える。
【０２７４】
《演算部２１１》
演算部２１１は、例えばプログラムを実行する機能を備える。
【０２７５】
《記憶部２１２》
記憶部２１２は、例えば演算部２１１が実行するプログラム、初期情報、設定情報または画像等を記憶する機能を有する。
【０２７６】
具体的には、ハードディスク、フラッシュメモリまたは酸化物半導体を含むトランジスタを用いたメモリ等を用いることができる。
【０２７７】
《入出力インターフェース２１５、伝送路２１４》
入出力インターフェース２１５は端子または配線を備え、情報を供給し、情報を供給される機能を備える。例えば、伝送路２１４と電気的に接続することができる。また、入出力装置２２０と電気的に接続することができる。
【０２７８】
伝送路２１４は配線を備え、情報を供給し、情報を供給される機能を備える。例えば、入出力インターフェース２１５と電気的に接続することができる。また、演算部２１１、記憶部２１２または入出力インターフェース２１５と電気的に接続することができる。
【０２７９】
《入出力装置２２０》
入出力装置２２０は、表示部２３０、入力部２４０、検知部２５０または通信部２９０を備える。例えば、実施の形態４において説明する入出力装置を用いることができる。これにより、消費電力を低減することができる。
【０２８０】
《表示部２３０》
表示部２３０は、制御部２３８と、駆動回路ＧＤと、駆動回路ＳＤと、表示パネル７００と、を有する（図８参照）。例えば、実施の形態４で説明する表示装置を表示部２３０に用いることができる。
【０２８１】
《入力部２４０》
さまざまなヒューマンインターフェイス等を入力部２４０に用いることができる（図１０参照）。
【０２８２】
例えば、キーボード、マウス、タッチセンサ、マイクまたはカメラ等を入力部２４０に用いることができる。なお、表示部２３０に重なる領域を備えるタッチセンサを用いることができる。表示部２３０と表示部２３０に重なる領域を備えるタッチセンサを備える入出力装置を、タッチパネルまたはタッチスクリーンということができる。
【０２８３】
例えば、使用者は、タッチパネルに触れた指をポインタに用いて様々なジェスチャー（タップ、ドラッグ、スワイプまたはピンチイン等）をすることができる。
【０２８４】
例えば、演算装置２１０は、タッチパネルに接触する指の位置または軌跡等の情報を解析し、解析結果が所定の条件を満たすとき、特定のジェスチャーが供給されたとすることができる。これにより、使用者は、所定のジェスチャーにあらかじめ関連付けられた所定の操作命令を、当該ジェスチャーを用いて供給できる。
【０２８５】
一例を挙げれば、使用者は、画像情報の表示位置を変更する「スクロール命令」を、タッチパネルに沿ってタッチパネルに接触する指を移動するジェスチャーを用いて供給できる。
【０２８６】
《検知部２５０》
検知部２５０は、周囲の状態を検知して検知情報を供給する機能を備える。具体的には、照度情報、姿勢情報、圧力情報、位置情報等を供給できる。
【０２８７】
例えば、光検出器、姿勢検出器、加速度センサ、方位センサ、ＧＰＳ（Ｇｌｏｂａｌ  ｐｏｓｉｔｉｏｎｉｎｇ  Ｓｙｓｔｅｍ）信号受信回路、圧力センサ、温度センサ、湿度センサまたはカメラ等を、検知部２５０に用いることができる。
【０２８８】
《通信部２９０》
通信部２９０は、ネットワークに情報を供給し、ネットワークから情報を取得する機能を備える。
【０２８９】
《プログラム》
本発明の一態様のプログラムは、下記のステップを有する（図１１（Ａ）参照）。
【０２９０】
［第１のステップ］
第１のステップにおいて、設定を初期化する（図１１（Ａ）（Ｓ１）参照）。
【０２９１】
例えば、起動時に表示する所定の画像情報と、当該画像情報を表示する所定のモードと、当該画像情報を表示する所定の表示方法を特定する情報と、を記憶部２１２から取得する。具体的には、一の静止画像情報または他の動画像情報を所定の画像情報に用いることができる。また、第１のモードまたは第２のモードを所定のモードに用いることができる。
【０２９２】
［第２のステップ］
第２のステップにおいて、割り込み処理を許可する（図１１（Ａ）（Ｓ２）参照）。なお、割り込み処理が許可された演算装置は、主の処理と並行して割り込み処理を行うことができる。割り込み処理から主の処理に復帰した演算装置は、割り込み処理をして得た結果を主の処理に反映することができる。
【０２９３】
なお、カウンタの値が初期値であるとき、演算装置に割り込み処理をさせ、割り込み処理から復帰する際に、カウンタを初期値以外の値としてもよい。これにより、プログラムを起動した後に常に割り込み処理をさせることができる。
【０２９４】
［第３のステップ］
第３のステップにおいて、第１のステップまたは割り込み処理において選択された、所定のモードまたは所定の表示方法を用いて画像情報を表示する（図１１（Ａ）（Ｓ３）参照）。なお、所定のモードは情報を表示するモードを特定し、所定の表示方法は画像情報を表示する方法を特定する。また、例えば、画像情報Ｖ１を表示する情報に用いることができる。
【０２９５】
例えば、画像情報Ｖ１を表示する一の方法を、第１のモードに関連付けることができる。または、画像情報Ｖ１を表示する他の方法を第２のモードに関連付けることができる。これにより、選択されたモードに基づいて表示方法を選択することができる。
【０２９６】
《第１のモード》
具体的には、３０Ｈｚ以上、好ましくは６０Ｈｚ以上の頻度で一の走査線に選択信号を供給し、選択信号に基づいて表示をする方法を、第１のモードに関連付けることができる。
【０２９７】
例えば、３０Ｈｚ以上、好ましくは６０Ｈｚ以上の頻度で選択信号を供給すると、動画像の動きを滑らかに表示することができる。
【０２９８】
例えば、３０Ｈｚ以上、好ましくは６０Ｈｚ以上の頻度で画像を更新すると、使用者の操作に滑らかに追従するように変化する画像を、使用者が操作中の情報処理装置２００に表示することができる。
【０２９９】
《第２のモード》
具体的には、３０Ｈｚ未満、好ましくは１Ｈｚ未満より好ましくは一分に一回未満の頻度で一の走査線に選択信号を供給し、選択信号に基づいて表示をする方法を、第２のモードに関連付けることができる。
【０３００】
３０Ｈｚ未満、好ましくは１Ｈｚ未満より好ましくは一分に一回未満の頻度で選択信号を供給すると、フリッカーまたはちらつきが抑制された表示をすることができる。また、消費電力を低減することができる。
【０３０１】
例えば、情報処理装置２００を時計に用いる場合、１秒に一回の頻度または１分に一回の頻度等で表示を更新することができる。
【０３０２】
ところで、例えば、発光素子を表示素子に用いる場合、発光素子をパルス状に発光させて、画像情報を表示することができる。具体的には、パルス状に有機ＥＬ素子を発光させて、その残光を表示に用いることができる。有機ＥＬ素子は優れた周波数特性を備えるため、発光素子を駆動する時間を短縮し、消費電力を低減することができる場合がある。または、発熱が抑制されるため、発光素子の劣化を軽減することができる場合がある。
【０３０３】
［第４のステップ］
第４のステップにおいて、終了命令が供給された場合は第５のステップに進み、終了命令が供給されなかった場合は第３のステップに進むように選択する（図１１（Ａ）（Ｓ４）参照）。
【０３０４】
例えば、割り込み処理において供給された終了命令を判断に用いてもよい。
【０３０５】
［第５のステップ］
第５のステップにおいて、終了する（図１１（Ａ）（Ｓ５）参照）。
【０３０６】
《割り込み処理》
割り込み処理は以下の第６のステップ乃至第８のステップを備える（図１１（Ｂ）参照）。
【０３０７】
［第６のステップ］
第６のステップにおいて、例えば、検知部２５０を用いて、情報処理装置２００が使用される環境の照度を検出する（図１１（Ｂ）（Ｓ６）参照）。なお、環境の照度に代えて環境光の色温度や色度を検出してもよい。
【０３０８】
［第７のステップ］
第７のステップにおいて、検出した照度情報に基づいて表示方法を決定する（図１１（Ｂ）（Ｓ７）参照）。例えば、表示の明るさを暗すぎないように、または明るすぎないように決定する。
【０３０９】
なお、第６のステップにおいて環境光の色温度や環境光の色度を検出した場合は、表示の色味を調節してもよい。
【０３１０】
［第８のステップ］
第８のステップにおいて、割り込み処理を終了する（図１１（Ｂ）（Ｓ８）参照）。
【０３１１】
＜情報処理装置の構成例２．＞
本発明の一態様の情報処理装置の別の構成について、図１２を参照しながら説明する。
【０３１２】
図１２（Ａ）は、本発明の一態様のプログラムを説明するフローチャートである。図１２（Ａ）は、図１１（Ｂ）に示す割り込み処理とは異なる割り込み処理を説明するフローチャートである。
【０３１３】
なお、情報処理装置の構成例３は、供給された所定のイベントに基づいて、モードを変更するステップを割り込み処理に有する点が、図１１（Ｂ）を参照しながら説明する割り込み処理とは異なる。ここでは、異なる部分について詳細に説明し、同様の構成を用いることができる部分について上記の説明を援用する。
【０３１４】
《割り込み処理》
割り込み処理は以下の第６のステップ乃至第８のステップを備える（図１２（Ａ）参照）。
【０３１５】
［第６のステップ］
第６のステップにおいて、所定のイベントが供給された場合は、第７のステップに進み、所定のイベントが供給されなかった場合は、第８のステップに進む（図１２（Ａ）（Ｕ６）参照）。例えば、所定の期間に所定のイベントが供給されたか否かを条件に用いることができる。具体的には、５秒以下、１秒以下または０．５秒以下好ましくは０．１秒以下であって０秒より長い期間を所定の期間とすることができる。
【０３１６】
［第７のステップ］
第７のステップにおいて、モードを変更する（図１２（Ａ）（Ｕ７）参照）。具体的には、第１のモードを選択していた場合は、第２のモードを選択し、第２のモードを選択していた場合は、第１のモードを選択する。
【０３１７】
例えば、表示部２３０の一部の領域について、表示モードを変更することができる。具体的には、駆動回路ＧＤＡ、駆動回路ＧＤＢ、駆動回路ＧＤＣおよび駆動回路ＧＤＤを備える表示部２３０の駆動回路ＧＤＢが選択信号を供給する領域について、表示モードを変更することができる（図１２（Ｂ）参照）。
【０３１８】
例えば、所定のイベントが、駆動回路ＧＤＢが選択信号を供給する領域の入力部２４０に供給された場合に、当該領域の表示モードを変更することができる。具体的には、駆動回路ＧＤＢが供給する選択信号の頻度を変更することができる。これにより、例えば、駆動回路ＧＤＢが選択信号を供給する領域の表示を、駆動回路ＧＤＡ、駆動回路ＧＤＣおよび駆動回路ＧＤＤを動作することなく更新することができる。または、駆動回路が消費する電力を抑制することができる。
【０３１９】
［第８のステップ］
第８のステップにおいて、割り込み処理を終了する（図１２（Ａ）（Ｕ８）参照）。なお、主の処理を実行している期間に割り込み処理を繰り返し実行してもよい。
【０３２０】
《所定のイベント》
例えば、マウス等のポインティング装置を用いて供給する、「クリック」や「ドラッグ」等のイベント、指等をポインタに用いてタッチパネルに供給する、「タップ」、「ドラッグ」または「スワイプ」等のイベントを用いることができる。
【０３２１】
また、例えば、ポインタが指し示すスライドバーの位置、スワイプの速度、ドラッグの速度等を用いて、所定のイベントに関連付けられた命令の引数を与えることができる。
【０３２２】
例えば、検知部２５０が検知した情報をあらかじめ設定された閾値と比較して、比較結果をイベントに用いることができる。
【０３２３】
具体的には、筐体に押し込むことができるように配設されたボタン等に接する感圧検知器等を検知部２５０に用いることができる。
【０３２４】
《所定のイベントに関連付ける命令》
例えば、終了命令を、特定のイベントに関連付けることができる。
【０３２５】
例えば、表示されている一の画像情報から他の画像情報に表示を切り替える「ページめくり命令」を、所定のイベントに関連付けることができる。なお、「ページめくり命令」を実行する際に用いるページをめくる速度などを決定する引数を、所定のイベントを用いて与えることができる。
【０３２６】
例えば、一の画像情報の表示されている一部分の表示位置を移動して、一部分に連続する他の部分を表示する「スクロール命令」などを、所定のイベントに関連付けることができる。なお、「スクロール命令」を実行する際に用いる表示を移動する速度などを決定する引数を、所定のイベントを用いて与えることができる。
【０３２７】
例えば、表示方法を設定する命令または画像情報を生成する命令などを、所定のイベントに関連付けることができる。なお、生成する画像の明るさを決定する引数を所定のイベントに関連付けることができる。また、生成する画像の明るさを決定する引数を、検知部２５０が検知する環境の明るさに基づいて決定してもよい。
【０３２８】
例えば、プッシュ型のサービスを用いて配信される情報を、通信部２９０を用いて取得する命令などを、所定のイベントに関連付けることができる。
【０３２９】
なお、情報を取得する資格の有無を、検知部２５０が検知する位置情報を用いて判断してもよい。具体的には、特定の教室、学校、会議室、企業、建物等の内部または領域にいる場合に、情報を取得する資格を有すると判断してもよい。これにより、例えば、学校または大学等の教室で配信される教材を受信して、情報処理装置２００を教科書等に用いることができる（図１０（Ｃ）参照）。または、企業等の会議室で配信される資料を受信して、会議資料に用いることができる。
【０３３０】
なお、本実施の形態は、本明細書で示す他の実施の形態と適宜組み合わせることができる。
【０３３１】
（実施の形態７）
本実施の形態では、本発明の一態様の情報処理装置の構成について、図１３および図１４を参照しながら説明する。
本実施の形態では、本発明の一態様の情報処理装置の構成について、図１３および図１４を参照しながら説明する。
【０３３２】
図１３および図１４は、本発明の一態様の情報処理装置の構成を説明する図である。図１３（Ａ）は情報処理装置のブロック図であり、図１３（Ｂ）乃至図１３（Ｅ）は情報処理装置の構成を説明する斜視図である。また、図１４（Ａ）乃至図１４（Ｅ）は情報処理装置の構成を説明する斜視図である。
【０３３３】
＜情報処理装置＞
本実施の形態で説明する情報処理装置５２００Ｂは、演算装置５２１０と、入出力装置５２２０とを、有する（図１３（Ａ）参照）。
【０３３４】
演算装置５２１０は、操作情報を供給される機能を備え、操作情報に基づいて画像情報を供給する機能を備える。
【０３３５】
入出力装置５２２０は、表示部５２３０、入力部５２４０、検知部５２５０、通信部５２９０、操作情報を供給する機能および画像情報を供給される機能を備える。また、入出力装置５２２０は、検知情報を供給する機能、通信情報を供給する機能および通信情報を供給される機能を備える。
【０３３６】
入力部５２４０は操作情報を供給する機能を備える。例えば、入力部５２４０は、情報処理装置５２００Ｂの使用者の操作に基づいて操作情報を供給する。
【０３３７】
具体的には、キーボード、ハードウェアボタン、ポインティングデバイス、タッチセンサ、照度センサ、撮像装置、音声入力装置、視線入力装置、姿勢検出装置などを、入力部５２４０に用いることができる。
【０３３８】
表示部５２３０は表示パネルおよび画像情報を表示する機能を備える。例えば、実施の形態１または実施の形態２において説明する表示パネルを表示部５２３０に用いることができる。
【０３３９】
検知部５２５０は検知情報を供給する機能を備える。例えば、情報処理装置が使用されている周辺の環境を検知して、検知情報として供給する機能を備える。
【０３４０】
具体的には、照度センサ、撮像装置、姿勢検出装置、圧力センサ、人感センサなどを検知部５２５０に用いることができる。
【０３４１】
通信部５２９０は通信情報を供給される機能および供給する機能を備える。例えば、無線通信または有線通信により、他の電子機器または通信網と接続する機能を備える。具体的には、無線構内通信、電話通信、近距離無線通信などの機能を備える。
【０３４２】
《情報処理装置の構成例１．》
例えば、円筒状の柱などに沿った外形を表示部５２３０に適用することができる（図１３（Ｂ）参照）。また、使用環境の照度に応じて、表示方法を変更する機能を備える。また、人の存在を検知して、表示内容を変更する機能を備える。これにより、例えば、建物の柱に設置することができる。または、広告または案内等を表示することができる。または、デジタル・サイネージ等に用いることができる。
【０３４３】
《情報処理装置の構成例２．》
例えば、使用者が使用するポインタの軌跡に基づいて画像情報を生成する機能を備える（図１３（Ｃ）参照）。具体的には、対角線の長さが２０インチ以上、好ましくは４０インチ以上、より好ましくは５５インチ以上の表示パネルを用いることができる。または、複数の表示パネルを並べて１つの表示領域に用いることができる。または、複数の表示パネルを並べてマルチスクリーンに用いることができる。これにより、例えば、電子黒板、電子掲示板、電子看板等に用いることができる。
【０３４４】
《情報処理装置の構成例３．》
例えば、使用環境の照度に応じて、表示方法を変更する機能を備える（図１３（Ｄ）参照）。これにより、例えば、スマートウオッチの消費電力を低減することができる。または、例えば、晴天の屋外等の外光の強い環境においても好適に使用できるように、画像をスマートウオッチに表示することができる。
【０３４５】
《情報処理装置の構成例４．》
表示部５２３０は、例えば、筐体の側面に沿って緩やかに曲がる曲面を備える（図１３（Ｅ）参照）。または、表示部５２３０は表示パネルを備え、表示パネルは、例えば、前面、側面および上面に表示する機能を備える。これにより、例えば、携帯電話の前面だけでなく、側面および上面に画像情報を表示することができる。
【０３４６】
《情報処理装置の構成例５．》
例えば、使用環境の照度に応じて、表示方法を変更する機能を備える（図１４（Ａ）参照）。これにより、スマートフォンの消費電力を低減することができる。または、例えば、晴天の屋外等の外光の強い環境においても好適に使用できるように、画像をスマートフォンに表示することができる。
【０３４７】
《情報処理装置の構成例６．》
例えば、使用環境の照度に応じて、表示方法を変更する機能を備える（図１４（Ｂ）参照）。これにより、晴天の日に屋内に差し込む強い外光が当たっても好適に使用できるように、映像をテレビジョンシステムに表示することができる。
【０３４８】
《情報処理装置の構成例７．》
例えば、使用環境の照度に応じて、表示方法を変更する機能を備える（図１４（Ｃ）参照）。これにより、例えば、晴天の屋外等の外光の強い環境においても好適に使用できるように、画像をタブレットコンピュータに表示することができる。
【０３４９】
《情報処理装置の構成例８．》
例えば、使用環境の照度に応じて、表示方法を変更する機能を備える（図１４（Ｄ）参照）。これにより、例えば、晴天の屋外等の外光の強い環境においても好適に閲覧できるように、被写体をデジタルカメラに表示することができる。
【０３５０】
《情報処理装置の構成例９．》
例えば、使用環境の照度に応じて、表示方法を変更する機能を備える（図１４（Ｅ）参照）。これにより、例えば、晴天の屋外等の外光の強い環境においても好適に使用できるように、画像をパーソナルコンピュータに表示することができる。
【０３５１】
なお、本実施の形態は、本明細書で示す他の実施の形態と適宜組み合わせることができる。
【０３５２】
例えば、本明細書等において、ＸとＹとが接続されている、と明示的に記載されている場合は、ＸとＹとが電気的に接続されている場合と、ＸとＹとが機能的に接続されている場合と、ＸとＹとが直接接続されている場合とが、本明細書等に開示されているものとする。したがって、所定の接続関係、例えば、図または文章に示された接続関係に限定されず、図または文章に示された接続関係以外のものも、図または文章に記載されているものとする。
【０３５３】
ここで、Ｘ、Ｙは、対象物（例えば、装置、素子、回路、配線、電極、端子、導電膜、層、など）であるとする。
【０３５４】
ＸとＹとが直接的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に接続されていない場合であり、ＸとＹとの電気的な接続を可能とする素子（例えば、スイッチ、トランジスタ、容量素子、インダクタ、抵抗素子、ダイオード、表示素子、発光素子、負荷など）を介さずに、ＸとＹとが、接続されている場合である。
【０３５５】
ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オンオフが制御される機能を有している。つまり、スイッチは、導通状態（オン状態）、または、非導通状態（オフ状態）になり、電流を流すか流さないかを制御する機能を有している。または、スイッチは、電流を流す経路を選択して切り替える機能を有している。なお、ＸとＹとが電気的に接続されている場合は、ＸとＹとが直接的に接続されている場合を含むものとする。
【０３５６】
ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅または電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ｘから出力された信号がＹへ伝達される場合は、ＸとＹとは機能的に接続されているものとする。なお、ＸとＹとが機能的に接続されている場合は、ＸとＹとが直接的に接続されている場合と、ＸとＹとが電気的に接続されている場合とを含むものとする。
【０３５７】
なお、ＸとＹとが電気的に接続されている、と明示的に記載されている場合は、ＸとＹとが電気的に接続されている場合（つまり、ＸとＹとの間に別の素子又は別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子又は別の回路を挟まずに接続されている場合）とが、本明細書等に開示されているものとする。つまり、電気的に接続されている、と明示的に記載されている場合は、単に、接続されている、とのみ明示的に記載されている場合と同様な内容が、本明細書等に開示されているものとする。
【０３５８】
なお、例えば、トランジスタのソース（又は第１の端子など）が、Ｚ１を介して（又は介さず）、Ｘと電気的に接続され、トランジスタのドレイン（又は第２の端子など）が、Ｚ２を介して（又は介さず）、Ｙと電気的に接続されている場合や、トランジスタのソース（又は第１の端子など）が、Ｚ１の一部と直接的に接続され、Ｚ１の別の一部がＸと直接的に接続され、トランジスタのドレイン（又は第２の端子など）が、Ｚ２の一部と直接的に接続され、Ｚ２の別の一部がＹと直接的に接続されている場合では、以下のように表現することが出来る。
【０３５９】
例えば、「ＸとＹとトランジスタのソース（又は第１の端子など）とドレイン（又は第２の端子など）とは、互いに電気的に接続されており、Ｘ、トランジスタのソース（又は第１の端子など）、トランジスタのドレイン（又は第２の端子など）、Ｙの順序で電気的に接続されている。」と表現することができる。または、「トランジスタのソース（又は第１の端子など）は、Ｘと電気的に接続され、トランジスタのドレイン（又は第２の端子など）はＹと電気的に接続され、Ｘ、トランジスタのソース（又は第１の端子など）、トランジスタのドレイン（又は第２の端子など）、Ｙは、この順序で電気的に接続されている」と表現することができる。または、「Ｘは、トランジスタのソース（又は第１の端子など）とドレイン（又は第２の端子など）とを介して、Ｙと電気的に接続され、Ｘ、トランジスタのソース（又は第１の端子など）、トランジスタのドレイン（又は第２の端子など）、Ｙは、この接続順序で設けられている」と表現することができる。これらの例と同様な表現方法を用いて、回路構成における接続の順序について規定することにより、トランジスタのソース（又は第１の端子など）と、ドレイン（又は第２の端子など）とを、区別して、技術的範囲を決定することができる。
【０３６０】
または、別の表現方法として、例えば、「トランジスタのソース（又は第１の端子など）は、少なくとも第１の接続経路を介して、Ｘと電気的に接続され、前記第１の接続経路は、第２の接続経路を有しておらず、前記第２の接続経路は、トランジスタを介した、トランジスタのソース（又は第１の端子など）とトランジスタのドレイン（又は第２の端子など）との間の経路であり、前記第１の接続経路は、Ｚ１を介した経路であり、トランジスタのドレイン（又は第２の端子など）は、少なくとも第３の接続経路を介して、Ｙと電気的に接続され、前記第３の接続経路は、前記第２の接続経路を有しておらず、前記第３の接続経路は、Ｚ２を介した経路である。」と表現することができる。または、「トランジスタのソース（又は第１の端子など）は、少なくとも第１の接続経路によって、Ｚ１を介して、Ｘと電気的に接続され、前記第１の接続経路は、第２の接続経路を有しておらず、前記第２の接続経路は、トランジスタを介した接続経路を有し、トランジスタのドレイン（又は第２の端子など）は、少なくとも第３の接続経路によって、Ｚ２を介して、Ｙと電気的に接続され、前記第３の接続経路は、前記第２の接続経路を有していない。」と表現することができる。または、「トランジスタのソース（又は第１の端子など）は、少なくとも第１の電気的パスによって、Ｚ１を介して、Ｘと電気的に接続され、前記第１の電気的パスは、第２の電気的パスを有しておらず、前記第２の電気的パスは、トランジスタのソース（又は第１の端子など）からトランジスタのドレイン（又は第２の端子など）への電気的パスであり、トランジスタのドレイン（又は第２の端子など）は、少なくとも第３の電気的パスによって、Ｚ２を介して、Ｙと電気的に接続され、前記第３の電気的パスは、第４の電気的パスを有しておらず、前記第４の電気的パスは、トランジスタのドレイン（又は第２の端子など）からトランジスタのソース（又は第１の端子など）への電気的パスである。」と表現することができる。これらの例と同様な表現方法を用いて、回路構成における接続経路について規定することにより、トランジスタのソース（又は第１の端子など）と、ドレイン（又は第２の端子など）とを、区別して、技術的範囲を決定することができる。
【０３６１】
なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。
【０３６２】
なお、回路図上は独立している構成要素同士が電気的に接続しているように図示されている場合であっても、１つの構成要素が、複数の構成要素の機能を併せ持っている場合もある。例えば配線の一部が電極としても機能する場合は、一の導電膜が、配線の機能、及び電極の機能の両方の構成要素の機能を併せ持っている。したがって、本明細書における電気的に接続とは、このような、一の導電膜が、複数の構成要素の機能を併せ持っている場合も、その範疇に含める。
【符号の説明】
【０３６３】
ＡＦ１    配向膜
ＡＦ２    配向膜
ＣＳＣＯＭ    導電膜
ＤＳ    検知情報
Ｇ１（ｉ）    走査線
ＧＬ１    制御線
ＧＬ２    制御線
ＧＬＳ１    制御信号
ＧＬＳ２    制御信号
ＫＢ１    構造体
Ｐ１    位置情報
Ｓ１（ｊ）    信号線
ＳＳ    制御情報
ＳＷ１    スイッチ
ＳＷ１１    スイッチ
ＳＷ１２    スイッチ
ＳＷ２１    スイッチ
ＳＷ２２    スイッチ
Ｔ１    期間
Ｔ２    期間
Ｖ１    画像情報
Ｖ１１    情報
ＶＣＯＭ１    導電膜
２００    情報処理装置
２１０    演算装置
２１１    演算部
２１２    記憶部
２１４    伝送路
２１５    入出力インターフェース
２２０    入出力装置
２３０    表示部
２３１    表示領域
２３３    制御回路
２３４    伸張回路
２３５Ｍ    画像処理回路
２３８    制御部
２４０    入力部
２４１    検知領域
２５０    検知部
２９０    通信部
５０１Ｃ    絶縁膜
５０４    導電膜
５０６    絶縁膜
５０８    半導体膜
５０８Ａ    領域
５０８Ｂ    領域
５０８Ｃ    領域
５１０    基板
５１２Ａ    導電膜
５１２Ｂ    導電膜
５１９Ｂ    端子
５２０    機能層
５２１Ａ    絶縁膜
５２１Ｂ    絶縁膜
５３０    画素回路
５９１Ａ    接続部
７００    表示パネル
７００Ｂ    表示パネル
７００ＴＰ    入出力パネル
７０２    画素
７０３    画素
７２０    機能層
７５０    表示素子
７５１    電極
７５２    電極
７５３    層
７７０    基板
７７０Ｄ    機能膜
７７０Ｐ    機能膜
７７１    絶縁膜
７７５    検知素子
５２００Ｂ    情報処理装置
５２１０    演算装置
５２２０    入出力装置
５２３０    表示部
５２４０    入力部
５２５０    検知部
５２９０    通信部
【図１】
2018163180.tif 000003
【図２】
2018163180.tif 000004
【図３】
2018163180.tif 000005
【図４】
2018163180.tif 000006
【図５】
2018163180.tif 000007
【図６】
2018163180.tif 000008
【図７】
2018163180.tif 000009
【図８】
2018163180.tif 000010
【図９】
2018163180.tif 000011
【図１０】
2018163180.tif 000012
【図１１】
2018163180.tif 000013
【図１２】
2018163180.tif 000014
【図１３】
2018163180.tif 000015
【図１４】
2018163180.tif 000016